(57)【要約】  様々な趣向を持つ多くの個別ユーザからのアクセスに対して、各ユーザが欲する情報を見やすく表示させるように、Ｗｅｂページにおける表示内容を切り替えて表示させることができるようにする。  Ｗｅｂサーバ１は、ＰＣ２からアクセスを受けると、ＨＴＴＰヘッダ中のＨＴＴＰ＿ＲＥＦＥＲＥＲ情報を解析部１２が解析してどこのリンクからたどってＰＣ２がアクセスしてきたかに関する情報を取得し、そのリンク元情報に基づいてＷｅｂページデータ１４１におけるテンプレート内部の各情報ブロックの配置を変更し、ＰＣ２に送出する。Ｗｅｂサーバ１は、この情報ブロックの配置のみが異なる、または特定の情報ブロックを増減させたＷｅｂページデータを表示切り替えテーブル１４２に基づいて生成し、ＰＣ２に送出する。【特許請求の範囲】
【請求項１】
Ｗｅｂページを公開するサーバ装置と、Ｗｅｂページデータを取得して表示可能な情報通信端末とがネットワークを介して接続されてなる情報提供システムであって、
前記情報通信端末から前記サーバ装置へのアクセスが行われた場合に当該アクセスの前のアクセス先を解析する解析手段と、
前記解析手段による解析結果に基づいて表示内容を切り替えるようＷｅｂページデータを書き替える書き替え手段とを備えたことを特徴とする情報提供システム。
【請求項２】
前記サーバ装置は、前記解析手段および前記書き替え手段とを備え、
前記情報通信端末からＷｅｂページデータのダウンロード要求を受けると、前記解析手段による解析結果に基づいて前記書き替え手段が書き替えたＷｅｂページデータを当該情報通信端末に対して送信することを特徴とする請求項１記載の情報提供システム。
【請求項３】
前記解析手段は、アクセスを受けた際のＨＴＴＰヘッダから前記情報通信端末による前のアクセス先を解析し、
解析できない場合、前記サーバ装置はアクセスしてきた情報通信端末に対して標準のＷｅｂページデータを送信することを特徴とする請求項２記載の情報提供システム。
【請求項４】
前記サーバ装置は、Ｗｅｂページを複数に分割するテンプレートと、該テンプレートの分割された各部分に割り当て可能な複数の情報ブロックとによりＷｅｂページデータを格納し、
前記書き替え手段は、前記解析手段による解析結果に応じて、前記テンプレートにおける情報ブロックの配置を入れ替えるようＷｅｂページデータを書き替えることを特徴とする請求項２または３記載の情報提供システム。
【請求項５】
前記サーバ装置は、前記情報通信端末による前のアクセス先のカテゴリ分類に、該カテゴリ分類に対する表示切り替え方法を関連付けてなる表示切り替えテーブルを備え、
前記書き替え手段は、前記表示切り替えテーブルに基づいて、前記解析手段による解析結果に応じたＷｅｂページデータの書き替えを行うことを特徴とする請求項４記載の情報提供システム。
【請求項６】
前記表示切り替えテーブルは、各カテゴリ分類にＵＲＬまたはＵＲＬの一部が関連付けられ、
前記書き替え手段は、前記解析手段が解析した前のアクセス先と、前記表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことを特徴とする請求項５記載の情報提供システム。
【請求項７】
前記表示切り替えテーブルは、Ｗｅｂページ中のキーワードが各カテゴリ分類に関連付けられてなり、
前記書き替え手段は、前記解析手段が解析した前記情報通信端末による前のアクセス先に対してアクセスして該前のアクセス先Ｗｅｂページデータを取得し、取得したＷｅｂページデータが前記表示切り替えテーブルに格納されたキーワードを含むかどうかを検索し、含まれるキーワードが関連付けられたカテゴリ分類に関連付けられた表示切り替え方法によりＷｅｂページデータの書き替えを行うことを特徴とする請求項５記載の情報提供システム。
【請求項８】
前記表示切り替えテーブルは、検索サイトにおける検索キーワードが各カテゴリ分類に関連付けられてなり、
前記書き替え手段は、前記解析手段による解析結果から前記情報通信端末による前のアクセス先が検索機能を有するサイトである場合に検索キーワードを解析し、解析された検索キーワードにより前記表示切り替えテーブルにおけるカテゴリ分類を行い、分類されたカテゴリに関連付けられた表示切り替え方法によりＷｅｂページデータの書き替えを行うことを特徴とする請求項５記載の情報提供システム。
【請求項９】
前記サーバ装置は、前記情報通信端末による前のアクセス先のカテゴリ分類に、該カテゴリ分類に対する追加情報を関連付けてなる表示切り替えテーブルを備え、
前記書き替え手段は、前記解析手段による解析結果に応じて前記カテゴリに分類し、分類されたカテゴリに関連付けられた追加情報を予め定められた配置で追加するようＷｅｂページデータを書き替えることを特徴とする請求項２または３記載の情報提供システム。
【請求項１０】
前記書き替え手段は、前記解析手段による解析結果から前記情報通信端末による前のアクセス先が検索機能を有するサイトである場合に検索キーワードを解析し、検索キーワード近辺の予め定められた範囲を予め定められた配置で追加するようＷｅｂページデータを書き替えることを特徴とする請求項２または３記載の情報提供システム。
【請求項１１】
前記書き替え手段は、前記解析手段による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることを特徴とする請求項２または３記載の情報提供システム。
【請求項１２】
前記書き替え手段は、前記予め定められた配置での追加を、標準Ｗｅｂページ上部への追加として行うようＷｅｂページデータを書き替えることを特徴とする請求項９から１１の何れか１項に記載の情報提供システム。
【請求項１３】
前記書き替え手段は、前記予め定められた配置での追加を、標準Ｗｅｂページの手前上部に専用ウインドウを追加することで該専用ウインドウ内に行うようＷｅｂページデータを書き替えることを特徴とする請求項９から１１の何れか１項に記載の情報提供システム。
【請求項１４】
前記書き替え手段は、前記解析手段による解析結果から前記情報通信端末による前のアクセス先が検索機能を有するサイトである場合に検索キーワードを解析し、Ｗｅｂページ内の検索キーワード部分を目立たせるようＷｅｂページデータを書き替えることを特徴とする請求項２、３、１０、１２または１３記載の情報提供システム。
【請求項１５】
前記書き替え手段は、前記解析手段による解析結果から前記情報通信端末による前のアクセス先が検索機能を有するサイトである場合に検索キーワードを解析し、検索キーワード近辺の予め定められた範囲のみとするようＷｅｂページデータを書き替えることを特徴とする請求項２または３記載の情報提供システム。
【請求項１６】
前記書き替え手段は、前記解析手段による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることを特徴とする請求項２または３記載の情報提供システム。
【請求項１７】
前記情報通信端末は、前記解析手段と、前記書き替え手段と、記憶手段とを備え、
前記解析手段は、アクセス先情報をアクセス履歴として前記記憶手段に格納し、サーバ装置へのアクセスの際に前記アクセス履歴から前のアクセス先を解析し、
前記書き替え手段は、前記解析手段による解析結果に応じて、サーバ装置から取得したＷｅｂページデータを書き替えることを特徴とする請求項１記載の情報提供システム。
【請求項１８】
前記情報通信端末は、前のアクセス先のカテゴリ分類に、該カテゴリ分類に対する表示切り替え方法を関連付けてなる表示切り替えテーブルを備え、
前記書き替え手段は、前記表示切り替えテーブルに基づいて、前記解析手段による解析結果に応じたＷｅｂページデータの書き替えを行うことを特徴とする請求項１７記載の情報提供システム。
【請求項１９】
前記書き替え手段は、前記解析手段による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことを特徴とする請求項１７または１８記載の情報提供システム。
【請求項２０】
前記情報通信端末は、切り替え条件に、該切り替え条件に対する表示切り替え方法を関連付けてなる表示切り替えテーブルを備え、
前記書き替え手段は、前記表示切り替えテーブルに基づいて、前記解析手段による解析結果に応じたＷｅｂページデータの書き替えを行うことを特徴とする請求項１７から１９の何れか１項に記載の情報提供システム。
【請求項２１】
Ｗｅｂページを公開するサーバ装置と、Ｗｅｂページデータを取得して表示可能な情報通信端末とがネットワークを介して接続されてなるシステムにおける情報提供方法であって、
前記情報通信端末から前記サーバ装置へのアクセスが行われた場合に当該アクセスの前のアクセス先を解析する解析工程と、
前記解析工程による解析結果に基づいて表示内容を切り替えるようＷｅｂページデータを書き替える書き替え工程とを備えたことを特徴とする情報提供方法。
【請求項２２】
前記情報通信端末から前記サーバ装置がＷｅｂページデータのダウンロード要求を受ける要求受け付け工程の後、
前記解析工程による解析結果に基づいて前記書き替え工程で書き替えたＷｅｂページデータを当該情報通信端末に対して送信する送信工程を備えたことを特徴とする請求項２１記載の情報提供方法。
【請求項２３】
前記解析工程では、アクセスを受けた際のＨＴＴＰヘッダから前記情報通信端末による前のアクセス先を解析し、
解析できない場合、前記送信工程ではアクセスしてきた情報通信端末に対して標準のＷｅｂページデータを送信することを特徴とする請求項２２記載の情報提供方法。
【請求項２４】
前記サーバ装置は、Ｗｅｂページを複数に分割するテンプレートと、該テンプレートの分割された各部分に割り当て可能な複数の情報ブロックとによりＷｅｂページデータを格納し、
前記書き替え工程では、前記解析工程による解析結果に応じて、Ｗｅｂページを複数に分割するテンプレートにおける情報ブロックの配置を入れ替えるようＷｅｂページデータを書き替えることを特徴とする請求項２２または２３記載の情報提供方法。
【請求項２５】
前記書き替え工程では、情報通信端末による前のアクセス先のカテゴリ分類に該カテゴリ分類に対する表示切り替え方法を関連付けてなる表示切り替えテーブルに基づいて、前記解析工程による解析結果に応じたＷｅｂページデータの書き替えを行うことを特徴とする請求項２４記載の情報提供方法。
【請求項２６】
前記表示切り替えテーブルは、各カテゴリ分類にＵＲＬまたはＵＲＬの一部が関連付けられ、
前記書き替え工程では、前記解析工程で解析した前のアクセス先と、前記表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことを特徴とする請求項２５記載の情報提供方法。
【請求項２７】
前記表示切り替えテーブルは、Ｗｅｂページ中のキーワードが各カテゴリ分類に関連付けられてなり、
前記書き替え工程では、前記解析工程で解析した前記情報通信端末による前のアクセス先に対してアクセスして該前のアクセス先Ｗｅｂページデータを取得し、取得したＷｅｂページデータが前記表示切り替えテーブルに格納されたキーワードを含むかどうかを検索し、含まれるキーワードが関連付けられたカテゴリ分類に関連付けられた表示切り替え方法によりＷｅｂページデータの書き替えを行うことを特徴とする請求項２５記載の情報提供方法。
【請求項２８】
前記表示切り替えテーブルは、検索サイトにおける検索キーワードが各カテゴリ分類に関連付けられてなり、
前記書き替え工程では、前記解析工程による解析結果から前記情報通信端末による前のアクセス先が検索機能を有するサイトである場合に検索キーワードを解析し、解析された検索キーワードにより前記表示切り替えテーブルにおけるカテゴリ分類を行い、分類されたカテゴリに関連付けられた表示切り替え方法によりＷｅｂページデータの書き替えを行うことを特徴とする請求項２５記載の情報提供方法。
【請求項２９】
前記サーバ装置は、前記情報通信端末による前のアクセス先のカテゴリ分類に、該カテゴリ分類に対する追加情報を関連付けてなる表示切り替えテーブルを備え、
前記書き替え工程では、前記解析工程による解析結果に応じて前記カテゴリに分類し、分類されたカテゴリに関連付けられた追加情報を予め定められた配置で追加するようＷｅｂページデータを書き替えることを特徴とする請求項２２または２３記載の情報提供方法。
【請求項３０】
前記書き替え工程では、前記解析工程による解析結果から前記情報通信端末による前のアクセス先が検索機能を有するサイトである場合に検索キーワードを解析し、検索キーワード近辺の予め定められた範囲を予め定められた配置で追加するようＷｅｂページデータを書き替えることを特徴とする請求項２２または２３記載の情報提供方法。
【請求項３１】
前記書き替え工程では、前記解析工程による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることを特徴とする請求項２２または２３記載の情報提供方法。
【請求項３２】
前記書き替え工程では、前記予め定められた配置での追加を、標準Ｗｅｂページ上部への追加として行うようＷｅｂページデータを書き替えることを特徴とする請求項２９から３１の何れか１項に記載の情報提供方法。
【請求項３３】
前記書き替え工程では、前記予め定められた配置での追加を、標準Ｗｅｂページの手前上部に専用ウインドウを追加することで該専用ウインドウ内に行うようＷｅｂページデータを書き替えることを特徴とする請求項２９から３１の何れか１項に記載の情報提供方法。
【請求項３４】
前記書き替え工程では、前記解析工程による解析結果から前記情報通信端末による前のアクセス先が検索機能を有するサイトである場合に検索キーワードを解析し、Ｗｅｂページ内の検索キーワード部分を目立たせるようＷｅｂページデータを書き替えることを特徴とする請求項２２、２３、３０、３２または３３記載の情報提供方法。
【請求項３５】
前記書き替え工程では、前記解析工程による解析結果から前記情報通信端末による前のアクセス先が検索機能を有するサイトである場合に検索キーワードを解析し、検索キーワード近辺の予め定められた範囲のみとするようＷｅｂページデータを書き替えることを特徴とする請求項２２または２３記載の情報提供方法。
【請求項３６】
前記書き替え工程では、前記解析工程による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることを特徴とする請求項２２または２３記載の情報提供方法。
【請求項３７】
前記情報通信端末から前記サーバ装置へＷｅｂページデータのダウンロード要求を発信する要求発信工程の後、
前記解析工程では、アクセス先情報をアクセス履歴として前記情報通信端末の記憶手段に格納してサーバ装置へのアクセスの際に前記アクセス履歴から前のアクセス先を解析し、
前記書き替え工程では、前記解析工程による解析結果に応じて、サーバ装置から取得したＷｅｂページデータを書き替えることを特徴とする請求項２１記載の情報提供方法。
【請求項３８】
前記情報通信端末は、前のアクセス先のカテゴリ分類に、該カテゴリ分類に対する表示切り替え方法を関連付けてなる表示切り替えテーブルを備え、
前記書き替え工程では、前記表示切り替えテーブルに基づいて、前記解析工程による解析結果に応じたＷｅｂページデータの書き替えを行うことを特徴とする請求項３７記載の情報提供方法。
【請求項３９】
前記書き替え工程では、前記解析工程による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことを特徴とする請求項３７または３８記載の情報提供方法。
【請求項４０】
前記情報通信端末は、切り替え条件に、該切り替え条件に対する表示切り替え方法を関連付けてなる表示切り替えテーブルを備え、
前記書き替え工程では、前記表示切り替えテーブルに基づいて、前記解析工程による解析結果に応じたＷｅｂページデータの書き替えを行うことを特徴とする請求項３７から３９の何れか１項に記載の情報提供方法。
【請求項４１】
Ｗｅｂページを公開するサーバ装置と、Ｗｅｂページデータを取得して表示可能な情報通信端末とがネットワークを介して接続されてなるシステムにおける情報提供プログラムであって、
コンピュータに、
前記情報通信端末から前記サーバ装置へのアクセスが行われた場合に当該アクセスの前のアクセス先を解析する解析処理と、
前記解析処理による解析結果に基づいて表示内容を切り替えるようＷｅｂページデータを書き替える書き替え処理とを実行させることを特徴とする情報提供プログラム。
【請求項４２】
コンピュータに、
前記情報通信端末から前記サーバ装置がＷｅｂページデータのダウンロード要求を受ける要求受け付け処理の後、
前記解析処理による解析結果に基づいて前記書き替え処理で書き替えたＷｅｂページデータを当該情報通信端末に対して送信する送信処理を実行させることを特徴とする請求項４１記載の情報提供プログラム。
【請求項４３】
前記解析処理では、アクセスを受けた際のＨＴＴＰヘッダから前記情報通信端末による前のアクセス先を解析し、
解析できない場合、前記送信処理ではアクセスしてきた情報通信端末に対して標準のＷｅｂページデータを送信することを特徴とする請求項４２記載の情報提供プログラム。
【請求項４４】
前記サーバ装置は、Ｗｅｂページを複数に分割するテンプレートと、該テンプレートの分割された各部分に割り当て可能な複数の情報ブロックとによりＷｅｂページデータを格納し、
前記書き替え処理では、前記解析処理による解析結果に応じて、Ｗｅｂページを複数に分割するテンプレートにおける情報ブロックの配置を入れ替えるようＷｅｂページデータを書き替えることを特徴とする請求項４２または４３記載の情報提供プログラム。
【請求項４５】
前記書き替え処理では、情報通信端末による前のアクセス先のカテゴリ分類に該カテゴリ分類に対する表示切り替え方法を関連付けてなる表示切り替えテーブルに基づいて、前記解析処理による解析結果に応じたＷｅｂページデータの書き替えを行うことを特徴とする請求項４４記載の情報提供プログラム。
【請求項４６】
前記表示切り替えテーブルは、各カテゴリ分類にＵＲＬまたはＵＲＬの一部が関連付けられ、
前記書き替え処理では、前記解析処理で解析した前のアクセス先と、前記表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことを特徴とする請求項４５記載の情報提供プログラム。
【請求項４７】
前記表示切り替えテーブルは、Ｗｅｂページ中のキーワードが各カテゴリ分類に関連付けられてなり、
前記書き替え処理では、前記解析処理で解析した前記情報通信端末による前のアクセス先に対してアクセスして該前のアクセス先Ｗｅｂページデータを取得し、取得したＷｅｂページデータが前記表示切り替えテーブルに格納されたキーワードを含むかどうかを検索し、含まれるキーワードが関連付けられたカテゴリ分類に関連付けられた表示切り替え方法によりＷｅｂページデータの書き替えを行うことを特徴とする請求項４５記載の情報提供プログラム。
【請求項４８】
前記表示切り替えテーブルは、検索サイトにおける検索キーワードが各カテゴリ分類に関連付けられてなり、
前記書き替え処理では、前記解析処理による解析結果から前記情報通信端末による前のアクセス先が検索機能を有するサイトである場合に検索キーワードを解析し、解析された検索キーワードにより前記表示切り替えテーブルにおけるカテゴリ分類を行い、分類されたカテゴリに関連付けられた表示切り替え方法によりＷｅｂページデータの書き替えを行うことを特徴とする請求項４５記載の情報提供プログラム。
【請求項４９】
前記サーバ装置は、前記情報通信端末による前のアクセス先のカテゴリ分類に、該カテゴリ分類に対する追加情報を関連付けてなる表示切り替えテーブルを備え、
前記書き替え処理では、前記解析処理による解析結果に応じて前記カテゴリに分類し、分類されたカテゴリに関連付けられた追加情報を予め定められた配置で追加するようＷｅｂページデータを書き替えることを特徴とする請求項４２または４３記載の情報提供プログラム。
【請求項５０】
前記書き替え処理では、前記解析処理による解析結果から前記情報通信端末による前のアクセス先が検索機能を有するサイトである場合に検索キーワードを解析し、検索キーワード近辺の予め定められた範囲を予め定められた配置で追加するようＷｅｂページデータを書き替えることを特徴とする請求項４２または４３記載の情報提供プログラム。
【請求項５１】
前記書き替え処理では、前記解析処理による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることを特徴とする請求項４２または４３記載の情報提供プログラム。
【請求項５２】
前記書き替え処理では、前記予め定められた配置での追加を、標準Ｗｅｂページ上部への追加として行うようＷｅｂページデータを書き替えることを特徴とする請求項４９から５１の何れか１項に記載の情報提供プログラム。
【請求項５３】
前記書き替え処理では、前記予め定められた配置での追加を、標準Ｗｅｂページの手前上部に専用ウインドウを追加することで該専用ウインドウ内に行うようＷｅｂページデータを書き替えることを特徴とする請求項４９から５１の何れか１項に記載の情報提供プログラム。
【請求項５４】
前記書き替え処理では、前記解析処理による解析結果から前記情報通信端末による前のアクセス先が検索機能を有するサイトである場合に検索キーワードを解析し、Ｗｅｂページ内の検索キーワード部分を目立たせるようＷｅｂページデータを書き替えることを特徴とする請求項４２、４３、５０、５２または５３記載の情報提供プログラム。
【請求項５５】
前記書き替え処理では、前記解析処理による解析結果から前記情報通信端末による前のアクセス先が検索機能を有するサイトである場合に検索キーワードを解析し、検索キーワード近辺の予め定められた範囲のみとするようＷｅｂページデータを書き替えることを特徴とする請求項４２または４３記載の情報提供プログラム。
【請求項５６】
前記書き替え処理では、前記解析処理による解析結果から前記情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることを特徴とする請求項４２または４３記載の情報提供プログラム。
【請求項５７】
コンピュータに、前記情報通信端末から前記サーバ装置へＷｅｂページデータのダウンロード要求を発信する要求発信処理を実行させた後、
前記解析処理では、アクセス先情報をアクセス履歴として前記情報通信端末の記憶手段に格納してサーバ装置へのアクセスの際に前記アクセス履歴から前のアクセス先を解析し、
前記書き替え処理では、前記解析処理による解析結果に応じて、サーバ装置から取得したＷｅｂページデータを書き替えることを特徴とする請求項４１記載の情報提供プログラム。
【請求項５８】
前記情報通信端末は、前のアクセス先のカテゴリ分類に、該カテゴリ分類に対する表示切り替え方法を関連付けてなる表示切り替えテーブルを備え、
前記書き替え処理では、前記表示切り替えテーブルに基づいて、前記解析処理による解析結果に応じたＷｅｂページデータの書き替えを行うことを特徴とする請求項５７記載の情報提供プログラム。
【請求項５９】
前記書き替え処理では、前記解析処理による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことを特徴とする請求項５７または５８記載の情報提供プログラム。
【請求項６０】
前記情報通信端末は、切り替え条件に、該切り替え条件に対する表示切り替え方法を関連付けてなる表示切り替えテーブルを備え、
前記書き替え処理では、前記表示切り替えテーブルに基づいて、前記解析処理による解析結果に応じたＷｅｂページデータの書き替えを行うことを特徴とする請求項５７から５９の何れか１項に記載の情報提供プログラム。
【請求項６１】
Ｗｅｂページを公開するサーバ装置にネットワークを介してアクセスしてＷｅｂページデータを取得して表示可能な情報通信端末であって、
記憶手段と、
アクセス先情報をアクセス履歴として前記記憶手段に格納し、サーバ装置へのアクセスの際に前記アクセス履歴から前のアクセス先を解析する解析手段と、
前記解析手段による解析結果に応じて、サーバ装置から取得したＷｅｂページデータを書き替える書き替え手段とを備えたことを特徴とする情報通信端末。
【請求項６２】
前のアクセス先のカテゴリ分類に、該カテゴリ分類に対する表示切り替え方法を関連付けてなる表示切り替えテーブルを備え、
前記書き替え手段は、前記表示切り替えテーブルに基づいて、前記解析手段による解析結果に応じたＷｅｂページデータの書き替えを行うことを特徴とする請求項６１記載の情報通信端末。
【請求項６３】
前記書き替え手段は、前記解析手段による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことを特徴とする請求項６１または６２記載の情報通信端末。
【請求項６４】
切り替え条件に、該切り替え条件に対する表示切り替え方法を関連付けてなる表示切り替えテーブルを備え、
前記書き替え手段は、前記表示切り替えテーブルに基づいて、前記解析手段による解析結果に応じたＷｅｂページデータの書き替えを行うことを特徴とする請求項６１から６３の何れか１項に記載の情報通信端末。
【請求項６５】
Ｗｅｂページを公開するサーバ装置にネットワークを介してアクセスしてＷｅｂページデータを取得して表示可能なコンピュータにおける情報表示切り替えプログラムであって、
前記コンピュータに、
アクセス先情報をアクセス履歴として記憶手段に格納してサーバ装置へのアクセスの際に前記アクセス履歴から前のアクセス先を解析する解析処理と、
前記解析処理による解析結果に応じて、サーバ装置から取得したＷｅｂページデータを書き替える書き替え処理とを実行させることを特徴とする情報表示切り替えプログラム。
【請求項６６】
前記コンピュータは、前のアクセス先のカテゴリ分類に、該カテゴリ分類に対する表示切り替え方法を関連付けてなる表示切り替えテーブルを備え、
前記書き替え処理では、前記表示切り替えテーブルに基づいて、前記解析処理による解析結果に応じたＷｅｂページデータの書き替えを行うことを特徴とする請求項６５記載の情報表示切り替えプログラム。
【請求項６７】
前記書き替え処理では、前記解析処理による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことを特徴とする請求項６５または６６記載の情報表示切り替えプログラム。
【請求項６８】
前記コンピュータは、切り替え条件に、該切り替え条件に対する表示切り替え方法を関連付けてなる表示切り替えテーブルを備え、
前記書き替え処理では、前記表示切り替えテーブルに基づいて、前記解析処理による解析結果に応じたＷｅｂページデータの書き替えを行うことを特徴とする請求項６５から６７の何れか１項に記載の情報表示切り替えプログラム。
【発明の詳細な説明】
【技術分野】
【０００１】
本発明は、ネットワークを介して、ユーザから要求されたＷｅｂページ情報を提供するための情報提供システム、方法、プログラム、情報通信端末、および情報表示切り替えプログラムに関する。
【背景技術】
【０００２】
従来より、インターネットなどのネットワークを介して情報通信端末からサーバへのアクセスが行われると、要求に応じてサーバから情報通信端末に情報を提供する情報提供システムがある。
こうした情報提供システムでは、サーバ装置からＨＴＭＬ（Hyper Text Markup Language）文書などの形態で情報やサービスがネットワークに公開され、ＰＣ（Personal Computer）やＰＤＡ（Personal Digital Assistant）などの情報通信端末で動作してブラウザ機能を有するソフトウェアが、サーバ装置から送られるＨＴＭＬ文書を解釈して、端末の画面上への表示を行うようなされている。【０００３】
ここで、特許文献１の情報提供装置は、ウェブサイトを提供する装置であって、各リンク先ページ毎の表示回数をカウントし、各項目をカウントされた表示回数の多い順に並べ替え、並べ替えられた各項目をインデックスページに表示すると共に、電子メールで所定の送信先に配信するようにしている。【０００４】
また、特許文献２のものでは、上位階層のコンテンツにリンクされている中位階層、そこにリンクされている下位階層の全てのコンテンツをモニタに表示させるようにし、配置における位置関係について、周辺に配置する、大きさを変化させる、または、奥行きの位置を変化させることによって、各コンテンツのリンク階層を分かりやすくしている。
【特許文献１】特開２００２−０９９５６７号公報
【特許文献２】特開２００３−１７３２２５号公報
【発明の開示】
【発明が解決しようとする課題】
【０００５】
一般に、インターネットを利用して情報を得ようとする場合、関連するＷｅｂサイトにアクセスし、当該Ｗｅｂサイト内の関連するハイパーリンクを探し出してアクセスするなど、ＷｅｂページからＷｅｂページにリンクをたどっていくことで目的とするＷｅｂページにアクセスすることが多くある。【０００６】
しかしながら、近年、インターネットの普及などに伴い、Ｗｅｂページには多くの情報が書き込まれていることが多くある。こうした１ページに多くの情報が書き込まれたＷｅｂページにアクセスした場合には、そのページにアクセスして画面が表示された後、目的とする情報がＷｅｂページ内のどの部分にあるのかを知ることもＷｅｂページの作り方によっては困難となってしまい、利便性を欠いてしまう虞があった。【０００７】
また、上述した特許文献１のものは、ユーザ層全体に対して表示回数をカウントすることでＷｅｂページにおける表示順序に反映させようとするものであり、様々な趣向を持つ多くの個別ユーザからのアクセスに対して、各ユーザが欲する情報を見やすくするように表示切り替えを行うことについてまで考慮されたものではない。【０００８】
また、上述した特許文献２のものは、Ｗｅｂページ内の各コンテンツのリンク階層を分かりやすくする好適なものであるが、リンクの階層は予め定められたものであり、様々な趣向を持つ多くの個別ユーザからのアクセスに対して、各ユーザが欲する情報を見やすくすることについてまで考慮されたものではない。【０００９】
本発明はこのような状況に鑑みてなされたものであり、例えば１ページ内に多くの情報が含まれるＷｅｂページであっても、様々な趣向を持つ多くの個別ユーザからのアクセスに対して、各ユーザが欲する情報を見やすく表示させるように、Ｗｅｂページにおける表示内容を切り替えて表示させることができる情報提供システム、方法、プログラム、情報通信端末、および情報表示切り替えプログラムを提供することを目的とする。
【課題を解決するための手段】
【００１０】
かかる目的を達成するために、本発明の第１の態様としての情報提供システムは、Ｗｅｂページを公開するサーバ装置と、Ｗｅｂページデータを取得して表示可能な情報通信端末とがネットワークを介して接続されてなる情報提供システムであって、情報通信端末からサーバ装置へのアクセスが行われた場合に当該アクセスの前のアクセス先を解析する解析手段と、解析手段による解析結果に基づいて表示内容を切り替えるようＷｅｂページデータを書き替える書き替え手段とを備えたことを特徴とする。【００１１】
上記したサーバ装置は、解析手段および書き替え手段とを備え、情報通信端末からＷｅｂページデータのダウンロード要求を受けると、解析手段による解析結果に基づいて書き替え手段が書き替えたＷｅｂページデータを当該情報通信端末に対して送信することが好ましい。【００１２】
上記した解析手段は、アクセスを受けた際のＨＴＴＰヘッダから情報通信端末による前のアクセス先を解析し、解析できない場合、サーバ装置はアクセスしてきた情報通信端末に対して標準のＷｅｂページデータを送信することが好ましい。【００１３】
上記したサーバ装置は、Ｗｅｂページを複数に分割するテンプレートと、該テンプレートの分割された各部分に割り当て可能な複数の情報ブロックとによりＷｅｂページデータを格納し、上記した書き替え手段は、解析手段による解析結果に応じて、テンプレートにおける情報ブロックの配置を入れ替えるようＷｅｂページデータを書き替えることが好ましい。【００１４】
上記したサーバ装置は、情報通信端末による前のアクセス先のカテゴリ分類に、該カテゴリ分類に対する表示切り替え方法を関連付けてなる表示切り替えテーブルを備え、上記した書き替え手段は、表示切り替えテーブルに基づいて、解析手段による解析結果に応じたＷｅｂページデータの書き替えを行うことが好ましい。【００１５】
上記した表示切り替えテーブルは、各カテゴリ分類にＵＲＬまたはＵＲＬの一部が関連付けられ、上記した書き替え手段は、解析手段が解析した前のアクセス先と、表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことが好ましい。【００１６】
上記した表示切り替えテーブルは、Ｗｅｂページ中のキーワードが各カテゴリ分類に関連付けられてなり、上記した書き替え手段は、解析手段が解析した情報通信端末による前のアクセス先に対してアクセスして該前のアクセス先Ｗｅｂページデータを取得し、取得したＷｅｂページデータが表示切り替えテーブルに格納されたキーワードを含むかどうかを検索し、含まれるキーワードが関連付けられたカテゴリ分類に関連付けられた表示切り替え方法によりＷｅｂページデータの書き替えを行うことであってもよい。【００１７】
上記した表示切り替えテーブルは、検索サイトにおける検索キーワードが各カテゴリ分類に関連付けられてなり、上記した書き替え手段は、解析手段による解析結果から情報通信端末による前のアクセス先が検索機能を有するサイトである場合に検索キーワードを解析し、解析された検索キーワードにより表示切り替えテーブルにおけるカテゴリ分類を行い、分類されたカテゴリに関連付けられた表示切り替え方法によりＷｅｂページデータの書き替えを行うことであってもよい。【００１８】
上記したサーバ装置は、情報通信端末による前のアクセス先のカテゴリ分類に、該カテゴリ分類に対する追加情報を関連付けてなる表示切り替えテーブルを備え、上記した書き替え手段は、解析手段による解析結果に応じてカテゴリに分類し、分類されたカテゴリに関連付けられた追加情報を予め定められた配置で追加するようＷｅｂページデータを書き替えることであってもよい。【００１９】
上記した書き替え手段は、解析手段による解析結果から情報通信端末による前のアクセス先が検索機能を有するサイトである場合に検索キーワードを解析し、検索キーワード近辺の予め定められた範囲を予め定められた配置で追加するようＷｅｂページデータを書き替えることであってもよい。【００２０】
上記した書き替え手段は、解析手段による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることであってもよい。【００２１】
上記した書き替え手段は、予め定められた配置での追加を、標準Ｗｅｂページ上部への追加として行うようＷｅｂページデータを書き替えることが好ましい。【００２２】
上記した書き替え手段は、予め定められた配置での追加を、標準Ｗｅｂページの手前上部に専用ウインドウを追加することで該専用ウインドウ内に行うようＷｅｂページデータを書き替えることであってもよい。【００２３】
上記した書き替え手段は、解析手段による解析結果から情報通信端末による前のアクセス先が検索機能を有するサイトである場合に検索キーワードを解析し、Ｗｅｂページ内の検索キーワード部分を目立たせるようＷｅｂページデータを書き替えることであってもよい。【００２４】
上記した書き替え手段は、解析手段による解析結果から情報通信端末による前のアクセス先が検索機能を有するサイトである場合に検索キーワードを解析し、検索キーワード近辺の予め定められた範囲のみとするようＷｅｂページデータを書き替えることであってもよい。【００２５】
上記した書き替え手段は、解析手段による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることであってもよい。【００２６】
上記した情報通信端末は、解析手段と、書き替え手段と、記憶手段とを備え、上記した解析手段は、アクセス先情報をアクセス履歴として記憶手段に格納し、サーバ装置へのアクセスの際にアクセス履歴から前のアクセス先を解析し、上記した書き替え手段は、解析手段による解析結果に応じて、サーバ装置から取得したＷｅｂページデータを書き替えることであってもよい。【００２７】
情報通信端末は、前のアクセス先のカテゴリ分類に、該カテゴリ分類に対する表示切り替え方法を関連付けてなる表示切り替えテーブルを備え、上記した書き替え手段は、表示切り替えテーブルに基づいて、解析手段による解析結果に応じたＷｅｂページデータの書き替えを行うことであってもよい。【００２８】
上記した書き替え手段は、解析手段による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことであってもよい。【００２９】
情報通信端末は、切り替え条件に、該切り替え条件に対する表示切り替え方法を関連付けてなる表示切り替えテーブルを備え、上記した書き替え手段は、表示切り替えテーブルに基づいて、解析手段による解析結果に応じたＷｅｂページデータの書き替えを行うことであってもよい。【００３０】
また、本発明の第２の態様としての情報提供方法は、Ｗｅｂページを公開するサーバ装置と、Ｗｅｂページデータを取得して表示可能な情報通信端末とがネットワークを介して接続されてなるシステムにおける情報提供方法であって、情報通信端末からサーバ装置へのアクセスが行われた場合に当該アクセスの前のアクセス先を解析する解析工程と、解析工程による解析結果に基づいて表示内容を切り替えるようＷｅｂページデータを書き替える書き替え工程とを備えたことを特徴とする。【００３１】
上記した情報通信端末からサーバ装置がＷｅｂページデータのダウンロード要求を受ける要求受け付け工程の後、上記した解析工程による解析結果に基づいて書き替え工程で書き替えたＷｅｂページデータを当該情報通信端末に対して送信する送信工程を備えることが好ましい。【００３２】
上記した解析工程では、アクセスを受けた際のＨＴＴＰヘッダから情報通信端末による前のアクセス先を解析し、解析できない場合、送信工程ではアクセスしてきた情報通信端末に対して標準のＷｅｂページデータを送信することが好ましい。【００３３】
上記したサーバ装置は、Ｗｅｂページを複数に分割するテンプレートと、該テンプレートの分割された各部分に割り当て可能な複数の情報ブロックとによりＷｅｂページデータを格納し、上記した書き替え工程では、解析工程による解析結果に応じて、Ｗｅｂページを複数に分割するテンプレートにおける情報ブロックの配置を入れ替えるようＷｅｂページデータを書き替えることが好ましい。【００３４】
上記した書き替え工程では、情報通信端末による前のアクセス先のカテゴリ分類に該カテゴリ分類に対する表示切り替え方法を関連付けてなる表示切り替えテーブルに基づいて、解析工程による解析結果に応じたＷｅｂページデータの書き替えを行うことが好ましい。【００３５】
上記した表示切り替えテーブルは、各カテゴリ分類にＵＲＬまたはＵＲＬの一部が関連付けられ、上記した書き替え工程では、解析工程で解析した前のアクセス先と、表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことが好ましい。【００３６】
上記した表示切り替えテーブルは、Ｗｅｂページ中のキーワードが各カテゴリ分類に関連付けられてなり、上記した書き替え工程では、解析工程で解析した情報通信端末による前のアクセス先に対してアクセスして該前のアクセス先Ｗｅｂページデータを取得し、取得したＷｅｂページデータが表示切り替えテーブルに格納されたキーワードを含むかどうかを検索し、含まれるキーワードが関連付けられたカテゴリ分類に関連付けられた表示切り替え方法によりＷｅｂページデータの書き替えを行うことであってもよい。【００３７】
上記した表示切り替えテーブルは、検索サイトにおける検索キーワードが各カテゴリ分類に関連付けられてなり、上記した書き替え工程では、解析工程による解析結果から情報通信端末による前のアクセス先が検索機能を有するサイトである場合に検索キーワードを解析し、解析された検索キーワードにより表示切り替えテーブルにおけるカテゴリ分類を行い、分類されたカテゴリに関連付けられた表示切り替え方法によりＷｅｂページデータの書き替えを行うことであってもよい。【００３８】
上記したサーバ装置は、情報通信端末による前のアクセス先のカテゴリ分類に、該カテゴリ分類に対する追加情報を関連付けてなる表示切り替えテーブルを備え、上記した書き替え工程では、解析工程による解析結果に応じてカテゴリに分類し、分類されたカテゴリに関連付けられた追加情報を予め定められた配置で追加するようＷｅｂページデータを書き替えることであってもよい。【００３９】
上記した書き替え工程では、解析工程による解析結果から情報通信端末による前のアクセス先が検索機能を有するサイトである場合に検索キーワードを解析し、検索キーワード近辺の予め定められた範囲を予め定められた配置で追加するようＷｅｂページデータを書き替えることであってもよい。【００４０】
上記した書き替え工程では、解析工程による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることであってもよい。【００４１】
上記した書き替え工程では、予め定められた配置での追加を、標準Ｗｅｂページ上部への追加として行うようＷｅｂページデータを書き替えることが好ましい。【００４２】
上記した書き替え工程では、予め定められた配置での追加を、標準Ｗｅｂページの手前上部に専用ウインドウを追加することで該専用ウインドウ内に行うようＷｅｂページデータを書き替えることであってもよい。【００４３】
上記した書き替え工程では、解析工程による解析結果から情報通信端末による前のアクセス先が検索機能を有するサイトである場合に検索キーワードを解析し、Ｗｅｂページ内の検索キーワード部分を目立たせるようＷｅｂページデータを書き替えることであってもよい。【００４４】
上記した書き替え工程では、解析工程による解析結果から情報通信端末による前のアクセス先が検索機能を有するサイトである場合に検索キーワードを解析し、検索キーワード近辺の予め定められた範囲のみとするようＷｅｂページデータを書き替えることであってもよい。【００４５】
上記した書き替え工程では、解析工程による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることであってもよい。【００４６】
情報通信端末からサーバ装置へＷｅｂページデータのダウンロード要求を発信する要求発信工程の後、上記した解析工程では、アクセス先情報をアクセス履歴として情報通信端末の記憶手段に格納してサーバ装置へのアクセスの際にアクセス履歴から前のアクセス先を解析し、上記した書き替え工程では、解析工程による解析結果に応じて、サーバ装置から取得したＷｅｂページデータを書き替えることであってもよい。【００４７】
情報通信端末は、前のアクセス先のカテゴリ分類に、該カテゴリ分類に対する表示切り替え方法を関連付けてなる表示切り替えテーブルを備え、上記した書き替え工程では、表示切り替えテーブルに基づいて、解析工程による解析結果に応じたＷｅｂページデータの書き替えを行うことであってもよい。【００４８】
上記した書き替え工程では、解析工程による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことであってもよい。【００４９】
情報通信端末は、切り替え条件に、該切り替え条件に対する表示切り替え方法を関連付けてなる表示切り替えテーブルを備え、上記した書き替え工程では、表示切り替えテーブルに基づいて、解析工程による解析結果に応じたＷｅｂページデータの書き替えを行うことであってもよい。【００５０】
また、本発明の第３の態様としての情報提供プログラムは、Ｗｅｂページを公開するサーバ装置と、Ｗｅｂページデータを取得して表示可能な情報通信端末とがネットワークを介して接続されてなるシステムにおける情報提供プログラムであって、コンピュータに、情報通信端末からサーバ装置へのアクセスが行われた場合に当該アクセスの前のアクセス先を解析する解析処理と、解析処理による解析結果に基づいて表示内容を切り替えるようＷｅｂページデータを書き替える書き替え処理とを実行させることを特徴とする。【００５１】
上記したコンピュータに、情報通信端末からサーバ装置がＷｅｂページデータのダウンロード要求を受ける要求受け付け処理の後、上記した解析処理による解析結果に基づいて書き替え処理で書き替えたＷｅｂページデータを当該情報通信端末に対して送信する送信処理を実行させることが好ましい。【００５２】
上記した解析処理では、アクセスを受けた際のＨＴＴＰヘッダから情報通信端末による前のアクセス先を解析し、解析できない場合、送信処理ではアクセスしてきた情報通信端末に対して標準のＷｅｂページデータを送信することが好ましい。【００５３】
上記したサーバ装置は、Ｗｅｂページを複数に分割するテンプレートと、該テンプレートの分割された各部分に割り当て可能な複数の情報ブロックとによりＷｅｂページデータを格納し、上記した書き替え処理では、解析処理による解析結果に応じて、Ｗｅｂページを複数に分割するテンプレートにおける情報ブロックの配置を入れ替えるようＷｅｂページデータを書き替えることが好ましい。【００５４】
上記した書き替え処理では、情報通信端末による前のアクセス先のカテゴリ分類に該カテゴリ分類に対する表示切り替え方法を関連付けてなる表示切り替えテーブルに基づいて、解析処理による解析結果に応じたＷｅｂページデータの書き替えを行うことが好ましい。【００５５】
上記した表示切り替えテーブルは、各カテゴリ分類にＵＲＬまたはＵＲＬの一部が関連付けられ、上記した書き替え処理では、解析処理で解析した前のアクセス先と、表示切り替えテーブルに格納されたＵＲＬまたはＵＲＬの一部との一致によりカテゴリへの分類を行い、分類されたカテゴリに関連付けられた表示切り替え方法によりＷｅｂページデータの書き替えを行うことが好ましい。【００５６】
上記した表示切り替えテーブルは、Ｗｅｂページ中のキーワードが各カテゴリ分類に関連付けられてなり、上記した書き替え処理では、解析処理で解析した情報通信端末による前のアクセス先に対してアクセスして該前のアクセス先Ｗｅｂページデータを取得し、取得したＷｅｂページデータが表示切り替えテーブルに格納されたキーワードを含むかどうかを検索し、含まれるキーワードが関連付けられたカテゴリ分類に関連付けられた表示切り替え方法によりＷｅｂページデータの書き替えを行うことであってもよい。【００５７】
上記した表示切り替えテーブルは、検索サイトにおける検索キーワードが各カテゴリ分類に関連付けられてなり、上記した書き替え処理では、解析処理による解析結果から情報通信端末による前のアクセス先が検索機能を有するサイトである場合に検索キーワードを解析し、解析された検索キーワードにより表示切り替えテーブルにおけるカテゴリ分類を行い、分類されたカテゴリに関連付けられた表示切り替え方法によりＷｅｂページデータの書き替えを行うことであってもよい。【００５８】
上記したサーバ装置は、情報通信端末による前のアクセス先のカテゴリ分類に、該カテゴリ分類に対する追加情報を関連付けてなる表示切り替えテーブルを備え、上記した書き替え処理では、解析処理による解析結果に応じてカテゴリに分類し、分類されたカテゴリに関連付けられた追加情報を予め定められた配置で追加するようＷｅｂページデータを書き替えることであってもよい。【００５９】
上記した書き替え処理では、解析処理による解析結果から情報通信端末による前のアクセス先が検索機能を有するサイトである場合に検索キーワードを解析し、検索キーワード近辺の予め定められた範囲を予め定められた配置で追加するようＷｅｂページデータを書き替えることであってもよい。【００６０】
上記した書き替え処理では、解析処理による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲を予め定められた配置で追加するようＷｅｂページデータを書き替えることであってもよい。【００６１】
上記した書き替え処理では、予め定められた配置での追加を、標準Ｗｅｂページ上部への追加として行うようＷｅｂページデータを書き替えることが好ましい。【００６２】
上記した書き替え処理では、予め定められた配置での追加を、標準Ｗｅｂページの手前上部に専用ウインドウを追加することで該専用ウインドウ内に行うようＷｅｂページデータを書き替えることであってもよい。【００６３】
上記した書き替え処理では、解析処理による解析結果から情報通信端末による前のアクセス先が検索機能を有するサイトである場合に検索キーワードを解析し、Ｗｅｂページ内の検索キーワード部分を目立たせるようＷｅｂページデータを書き替えることであってもよい。【００６４】
上記した書き替え処理では、解析処理による解析結果から情報通信端末による前のアクセス先が検索機能を有するサイトである場合に検索キーワードを解析し、検索キーワード近辺の予め定められた範囲のみとするようＷｅｂページデータを書き替えることであってもよい。【００６５】
上記した書き替え処理では、解析処理による解析結果から情報通信端末による前のアクセス先に対してアクセスして該前のアクセス先Ｗｅｂページデータを取得し、取得したＷｅｂページデータから当該サーバ装置へのハイパーリンク部分のテキスト情報をキーワードとして抽出し、該キーワード近辺の予め定められた範囲のみとするようＷｅｂページデータを書き替えることであってもよい。【００６６】
コンピュータに、情報通信端末からサーバ装置へＷｅｂページデータのダウンロード要求を発信する要求発信処理を実行させた後、上記した解析処理では、アクセス先情報をアクセス履歴として情報通信端末の記憶手段に格納してサーバ装置へのアクセスの際にアクセス履歴から前のアクセス先を解析し、上記した書き替え処理では、解析処理による解析結果に応じて、サーバ装置から取得したＷｅｂページデータを書き替えることであってもよい。【００６７】
情報通信端末は、前のアクセス先のカテゴリ分類に、該カテゴリ分類に対する表示切り替え方法を関連付けてなる表示切り替えテーブルを備え、上記した書き替え処理では、表示切り替えテーブルに基づいて、解析処理による解析結果に応じたＷｅｂページデータの書き替えを行うことであってもよい。【００６８】
上記した書き替え処理では、解析処理による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことであってもよい。【００６９】
情報通信端末は、切り替え条件に、該切り替え条件に対する表示切り替え方法を関連付けてなる表示切り替えテーブルを備え、上記した書き替え処理では、表示切り替えテーブルに基づいて、解析処理による解析結果に応じたＷｅｂページデータの書き替えを行うことであってもよい。【００７０】
また、本発明の第４の態様としての情報通信端末は、Ｗｅｂページを公開するサーバ装置にネットワークを介してアクセスしてＷｅｂページデータを取得して表示可能な情報通信端末であって、記憶手段と、アクセス先情報をアクセス履歴として記憶手段に格納し、サーバ装置へのアクセスの際にアクセス履歴から前のアクセス先を解析する解析手段と、解析手段による解析結果に応じて、サーバ装置から取得したＷｅｂページデータを書き替える書き替え手段とを備えたことを特徴とする。【００７１】
前のアクセス先のカテゴリ分類に、該カテゴリ分類に対する表示切り替え方法を関連付けてなる表示切り替えテーブルを備え、上記した書き替え手段は、表示切り替えテーブルに基づいて、解析手段による解析結果に応じたＷｅｂページデータの書き替えを行うことが好ましい。【００７２】
上記した書き替え手段は、解析手段による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことが好ましい。【００７３】
切り替え条件に、該切り替え条件に対する表示切り替え方法を関連付けてなる表示切り替えテーブルを備え、上記した書き替え手段は、表示切り替えテーブルに基づいて、解析手段による解析結果に応じたＷｅｂページデータの書き替えを行うことが好ましい。【００７４】
また、本発明の第５の態様としての情報表示切り替えプログラムは、Ｗｅｂページを公開するサーバ装置にネットワークを介してアクセスしてＷｅｂページデータを取得して表示可能なコンピュータにおける情報表示切り替えプログラムであって、コンピュータに、アクセス先情報をアクセス履歴として記憶手段に格納してサーバ装置へのアクセスの際にアクセス履歴から前のアクセス先を解析する解析処理と、解析処理による解析結果に応じて、サーバ装置から取得したＷｅｂページデータを書き替える書き替え処理とを実行させることを特徴とする。【００７５】
コンピュータは、前のアクセス先のカテゴリ分類に、該カテゴリ分類に対する表示切り替え方法を関連付けてなる表示切り替えテーブルを備え、上記した書き替え処理では、表示切り替えテーブルに基づいて、解析処理による解析結果に応じたＷｅｂページデータの書き替えを行うことが好ましい。【００７６】
上記した書き替え処理では、解析処理による解析結果から前のアクセス先が検索機能を有するサイトである場合に検索キーワードを解析し、解析された検索キーワード近辺の予め定められた範囲または検索キーワードを目立たせるようＷｅｂページデータの書き替えを行うことが好ましい。【００７７】
コンピュータは、切り替え条件に、該切り替え条件に対する表示切り替え方法を関連付けてなる表示切り替えテーブルを備え、上記した書き替え処理では、表示切り替えテーブルに基づいて、解析処理による解析結果に応じたＷｅｂページデータの書き替えを行うことが好ましい。
【発明の効果】
【００７８】
以上のように、本発明によれば、例えば１ページ内に多くの情報が含まれるＷｅｂページであっても、当該アクセスの前のアクセス先を参照することにより、様々な趣向を持つ多くの個別ユーザからのアクセスに対して、各ユーザが欲する情報を見やすく表示させるようにＷｅｂページにおける表示内容を切り替えて表示させることができる。
【発明を実施するための最良の形態】
【００７９】
次に、本発明に係る情報提供システム、方法、プログラム、情報通信端末、および情報表示切り替えプログラムを、インターネットを介してＷｅｂページを閲覧させる情報提供システムに適用した一実施形態について、図面を用いて詳細に説明する。
【実施例１】
【００８０】
本発明の第１の実施形態としての情報提供システムは、図１に示すように、Ｗｅｂサーバ（サーバ装置）１と、ブラウザが実装されてＷｅｂページ閲覧などに使用されるＰＣ（情報通信端末）２と、を備え、インターネットなどのネットワーク３を介してＷｅｂサーバ１とＰＣ２とが接続されて構成される。
このように構成されることにより、ＰＣ２は、ネットワーク３を介して各種のＷｅｂサーバ１（１ａ，１ｂ，…）にアクセスし、Ｗｅｂページのデータを取得して表示することができるようになっている。【００８１】
Ｗｅｂサーバ１は、各種の情報やサービスの提供者によって設置されるワークステーション・サーバ等の情報処理装置であり、ＰＣ２からのアクセスによりＷｅｂページデータのダウンロード要求を受信するとそのＷｅｂページのデータ（ＨＴＭＬファイルなど）をＰＣ２に対して送信する情報送受信機能を備えている。
このように、Ｗｅｂサーバ１は、図２に示すように、ネットワーク３を介してＰＣ２との間で送受信を行うインターフェース機能を有する通信部１１と、ＰＣ２からのアクセスを受けた際にそのアクセスにおけるリンク元（前のアクセス先）を解析する解析部１２と、送出する情報の再配置など全体の制御を行う制御部１３と、記憶部１４とを備える。【００８２】
解析部１２は、ＰＣ２からのダウンロード要求を受信したときに、そのアクセスしてきたパケットにおけるＨＴＴＰヘッダに含まれるＨＴＴＰ＿ＲＥＦＥＲＥＲ情報を解析し、リンク元ＵＲＬ情報を取得する。
制御部１３は、Ｗｅｂサーバ１全体の制御を行うものであり、ＰＣ２からのダウンロード要求に対してＷｅｂページデータを送出する際には、解析部１２の解析結果に応じて、記憶部１４から所定の情報の抽出を行ったり、Ｗｅｂページの再構成を行うことでＷｅｂページデータの書き替え手段として機能したりする。【００８３】
記憶部１４は、不図示のプログラムを格納すると共に、Ｗｅｂページデータ１４１と、解析部１２の解析結果に応じてＷｅｂページの再構成を行うための表示切り替えテーブル１４２とを格納する。【００８４】
Ｗｅｂページデータ１４１は、図３に示すように、複数の情報ブロック（Ａ，Ｂ，…）と、情報ブロックが埋め込まれることでＷｅｂページとして表示できるようにするための情報ブロック埋め込み部を複数備えたテンプレートとからなる。
このテンプレートは、複数のブロックにより構成されたものであれば任意のものであってよい。各情報ブロックのコンテンツは、ＨＴＭＬデータと、画像データなどの各種データとからなるものであってよい。【００８５】
表示切り替えテーブル１４２は、図４に示すように、リンク元の各カテゴリ分類に、そのカテゴリとして分類されるリンク元ＵＲＬまたはリンク元ＵＲＬの一部と、そのカテゴリ分類に含まれるリンク元からのリンクによりＷｅｂページのダウンロード要求を受けた場合の表示切り替え方法とが関連付けられて構成される。
制御部１３は、解析部１２によりリンク元ＵＲＬが解析されると、表示切り替えテーブル１４２に格納されたリンク元ＵＲＬまたはリンク元ＵＲＬの一部と一致するか否かを識別し、一致する場合に関連付けられたカテゴリ分類に対する表示切り替え方法に基づいてＷｅｂページの再構成を行い、そのＷｅｂページデータをＰＣ２に送出する。【００８６】
表示切り替えテーブル１４２における表示切り替え方法は、予めＷｅｂサーバ１の管理者などにより設定されたものであってもよく、各情報ブロックへのアクセス数をリンク元ＵＲＬ別にカウントした上でカウント数の多いものから順にテンプレートにおける見やすい位置に配置する動的な設定であってもよい。
この動的な設定変更は、例えば各情報ブロックにハイパーリンクが設けられている場合であれば、そのハイパーリンクのクリック回数をリンク元ＵＲＬ別にカウントし、各カテゴリ分類に対してそのカテゴリ分類に含まれるリンク元からのカウント合計が多いものから順にテンプレートにおける見やすい位置に配置するように表示切り替えテーブル１４２における表示切り替え方法を設定する、といった方法によって行うこととしてよい。【００８７】
ＰＣ２は、ネットワーク３を介してＷｅｂサーバ１にアクセスする通信機能と、そのＷｅｂサーバ１からＨＴＭＬ文書などの形態で提供される情報やサービスを解釈して表示するブラウザ機能とを備え、インターネット接続可能に構成されている。【００８８】
次に、本実施形態としての情報提供システムの動作の概要について説明する。
Ｗｅｂサーバ１は、ＰＣ２からアクセスを受けると、ＨＴＴＰヘッダ中のＨＴＴＰ＿ＲＥＦＥＲＥＲ情報を解析部１２が解析してどこのリンクからたどってＰＣ２がアクセスしてきたかに関する情報を取得し、そのリンク元情報に基づいてＷｅｂページデータ１４１におけるテンプレート内部の各情報ブロックの配置を変更し、ＰＣ２に送出する。【００８９】
この情報ブロックとして、例えば文書、楽音、画像などのコンテンツ情報や、関連リンクｗｅｂサイト情報などが含まれ、Ｗｅｂサーバ１は、この配置のみが異なる、または特定の情報ブロックを増減させたＷｅｂページデータを表示切り替えテーブル１４２に基づいて生成し、ＰＣ２に送出する。【００９０】
次に、本実施形態としての情報提供システムの動作について、図５、図６を参照して詳細に説明する。
Ｗｅｂサーバ１の制御部１３は、通信部１１を介してＰＣ２からＷｅｂコンテンツ（Ｗｅｂページデータ）のダウンロード要求を受けると（ステップＳ１０１）、当該ＰＣ２からのアクセスデータにおけるＨＴＴＰヘッダ内のＨＴＴＰ＿ＲＥＦＥＲＥＲ情報を解析部１２により参照する（ステップＳ１０２）。【００９１】
ここで解析部１２により、解析できるリンク元ＵＲＬ情報が存在すると判定された場合（ステップＳ１０３；Ｙｅｓ）、制御部１３は表示切り替えテーブル１４２を参照してリンク元ＵＲＬがカテゴリに分類可能なものかの判定を行う（ステップＳ１０４、Ｓ１０５）。
表示切り替えテーブル１４２のカテゴリに分類可能であれば（ステップＳ１０５；Ｙｅｓ）、制御部１３は、例えば図６に示すように、そのカテゴリ分類に関連付けられた表示切り替え方法に基づいてＷｅｂページデータ１４１におけるテンプレート内部に情報ブロックを配置してＷｅｂページの再構成を行い（ステップＳ１０６）、ＰＣ２に送信して表示画面に表示させる（ステップＳ１０８）。【００９２】
上述したステップＳ１０６におけるテンプレート内部への情報ブロックの配置（Ｗｅｂページの再構成）は、例えばテンプレートがＨＴＭＬにおける<frameset rows="50%,50%">や<frameset cols="50%,50%">のように<frameset>タグを用いて記述されてフレームとして定義されている場合に、各フレームに表示する内容（<frame>タグによるリンク先）を制御部１３が切り替える方法によっても実現できるが、Ｗｅｂページの再構成を行うことができればテンプレートの構造や各情報ブロックの配置方法は他の方法であってもよい。
また、上記の切り替えは、制御部１３を実現させるプログラムが行ってもよく、切り替え用のプログラムが別に設けられていてもよい。【００９３】
上述したステップＳ１０３で解析できるリンク元ＵＲＬ情報が存在しない場合、或いはステップＳ１０５で表示切り替えテーブル１４２による分類ができない場合、制御部１３は予め定められた標準のＷｅｂページデータを抽出し（ステップＳ１０７）、ＰＣ２に送信する（ステップＳ１０８）。
この標準のＷｅｂページデータは、１つのＷｅｂページデータとして予め用意されたものであってもよく、テンプレートに対する各情報ブロックの配置が予め定められたものであり、その配置に従って制御部１３が生成したものであってもよい。【００９４】
以上のように、本発明の第１の実施形態としての情報提供システムによれば、Ｗｅｂサーバ１にアクセスしてくるユーザが見たい情報をＷｅｂページの上部（見やすい位置）に配置させることができ、利便性を大きく向上させることができる。すなわち、ＰＣ２の表示画面にすぐに表示されるようにＷｅｂページデータを送出することができるため、ユーザが見たい情報を見るために画面のスクロールを行って所望の情報を探す手間を最小限にすることができる。【００９５】
このため、アクセスするＰＣ２側のユーザにとっては所望の情報を入手しやすくすることができ、またＷｅｂサイトを提供するＷｅｂサーバ１側の管理者にとっては、Ｗｅｂページにアクセスしてくるユーザの欲する情報を見やすい位置に表示させることができ、ユーザの利便性向上を併せて提供することによりアクセス率向上を期待できる。
このことにより、Ｗｅｂサイトの活用価値を大幅に向上させることができる。【００９６】
なお、上述した実施形態では、解析部１３が、ＨＴＴＰヘッダ内のＨＴＴＰ＿ＲＥＦＥＲＥＲ情報を参照することによりリンク元を解析することとして説明したが、リンク元を解析することができれば任意の方法であってよく、例えば、クッキーによりその端末のアクセス履歴を解析する公知の技術を用いてもよく、アクセス解析として用いられる公知の各種技術を用いてもよい。
このアクセス解析に用いられる公知の技術としては、アクセスログを解析する方法、スクリプトを埋め込むことにより履歴を解析する方法、パケット解析を行う方式など、各種のものであってよい。【００９７】
こうしたリンク元の解析方法の中で、２回目以降のアクセスに対してしか解析ができない方法で解析を行う場合には、初回アクセス時に標準のＷｅｂページ画面をアクセス元のＰＣ２に送出して表示させ、アクセス解析ができた２回目以降に表示切り替えテーブル１４２に基づいた表示の再構成を行うこととしてよい。
また、この解析ができない場合や解析でエラーが発生した場合には、予め用意された標準のＷｅｂページデータを送信して表示させることとなる。【００９８】
また、上述した実施形態では、ユーザがＷｅｂサーバ１にアクセスするための情報通信端末がＰＣであることとして説明したが、ネットワークを介してＷｅｂサーバ１と通信可能でブラウザ機能を備えたものであれば各種の装置であってよく、例えばＰＤＡ（Personal Digital Assistant）、携帯電話機などであってもよい。【００９９】
一般に、表示画面は一度に表示できる内容が限定されるため、従来の情報提供システムでは、見たい内容がＷｅｂページの下の方に表示されて画面を大きくスクロールさせなければ表示画面に表示させることができず、利便性を欠いてしまう虞があった。
特に、上述のようにユーザがＷｅｂサーバ１にアクセスするための情報通信端末としてＰＤＡや携帯電話機など画面の小さい携帯通信端末が用いられる場合、一度に表示できる内容が限られてしまうため、見たい内容がＷｅｂページの下の方に表示されていると大幅にスクロールする必要があり、利便性を大きく欠いてしまう虞があった。
本発明によれば、こうしたＰＤＡや携帯電話機など画面の小さい携帯通信端末が情報通信端末として用いられる場合であっても、Ｗｅｂサーバ１にアクセスしてくるユーザが見たい情報をＷｅｂページの上部（見やすい位置）に配置させることができ、利便性を特に大きく向上させることができる。【０１００】
また、上述した実施形態では、本実施形態における表示切り替え（Ｗｅｂページの再構成）をＷｅｂサーバ１が行う構成として説明したが、プログラムとコンピュータハードウェアとにより上述した本実施形態に係る機能を実現することができればこの構成に限定されず、例えば、Ｗｅｂサーバ１とＰＣ２との中間に設けられてネットワーク３に接続された別な装置が行うこととしても、その装置が上述したＷｅｂサーバ１における通信部１１と、解析部１２と、制御部１３と、記憶部１４に格納された表示切り替えテーブル１４２とを備えることにより、上述した第１の実施形態と同様に実現することができる。
【実施例２】
【０１０１】
次に、本発明の第２の実施形態としての情報提供システムについて説明する。この第２の実施形態は、上述した第１の実施形態でアクセスのリンク元を解析した後、そのリンク元情報が表示切り替えテーブル１４２のカテゴリに分類されるかを判別し、そのカテゴリ分類に関連付けられた表示切り替え方法に基づいてＷｅｂページの再構成を行っているのに対して、解析されたリンク元ＵＲＬの各部分に基づいてＷｅｂページの再構成を行うようにしたものである。【０１０２】
この第２の実施形態における情報提供システムでは、上述した第１の実施形態のＷｅｂサーバ１における表示切り替えテーブル１４２に替えて表示切り替えテーブル１４３を備えている。
本実施形態における表示切り替えテーブル１４３は、図７に示すように、リンク元の各カテゴリ分類に、そのカテゴリとして分類されるリンク元ＵＲＬの一部と、そのカテゴリ分類に含まれるリンク元からのリンクによりＷｅｂページのダウンロード要求を受けた場合の表示切り替え方法とが関連付けられて構成される。
このリンク元ＵＲＬの一部は、ＵＲＬから情報を特定することができる部分であれば各部分を用いてよく、例えば社名や社名の愛称がＵＲＬに用いられている場合にはその部分を表示切り替えテーブル１４３に登録しておくことにより、解析部１２が解析したＵＲＬがどのカテゴリ分類に含まれるものかを制御部１３が識別することができる。【０１０３】
この第２の実施形態における情報提供システムの動作は、図５、図６を参照して上述した第１の実施形態の動作に対して、ステップＳ１０４で参照するテーブルが表示切り替えテーブル１４３となり、ステップＳ１０５での分類が、表示切り替えテーブル１４３のカテゴリへの分類となる。
すなわち、制御部１３は、解析部１２によりリンク元ＵＲＬが解析されると、表示切り替えテーブル１４３に格納されたリンク元ＵＲＬの一部と一致するか否かを識別し、一致する場合に関連付けられたカテゴリ分類に対する表示切り替え方法に基づいてＷｅｂページの再構成を行い、そのＷｅｂページデータをＰＣ２に送出する。【０１０４】
この第２の実施形態によれば、より多くのリンク元ＵＲＬに対して表示切り替えテーブルに基づいた分類を行うことができ、リンク元ＵＲＬを解析はできたが分類不能のために標準ＷｅｂページデータをＰＣ２に送信するということを減らすことができる。【０１０５】
なお、この第２の実施形態におけるカテゴリ分類への分類方法は、上述した第１の実施形態における解析、分類方法と両方を用いることとしてもよい。すなわち、表示切り替えテーブル１４２と１４３とを備えて制御部１３がカテゴリへの分類を行う構成とすることもできる。
このことによれば、さらに多くのリンク元ＵＲＬに対して表示切り替えテーブルに基づいた分類を行うことができ、本発明による表示切り替えの適用対象をより広くすることができる。
【実施例３】
【０１０６】
次に、本発明の第３の実施形態としての情報提供システムについて説明する。この第３の実施形態は、上述した第１、第２の実施形態でアクセスのリンク元を解析した後、そのリンク元情報が表示切り替えテーブルのカテゴリに分類されるかを判別してＷｅｂページの再構成を行っているのに対して、解析されたリンク元ＵＲＬのＷｅｂページに含まれる単語や文章に応じてＷｅｂページの再構成を行うようにしたものである。【０１０７】
この第３の実施形態における情報提供システムでは、上述した第１の実施形態のＷｅｂサーバ１における表示切り替えテーブル１４２に替えて表示切り替えテーブル１４４を備えている。
本実施形態における表示切り替えテーブル１４４は、図８に示すように、リンク元の各カテゴリ分類に、そのカテゴリとして分類されるキーワードと、そのカテゴリ分類に含まれるリンク元からのリンクによりＷｅｂページのダウンロード要求を受けた場合の表示切り替え方法とが関連付けられて構成される。【０１０８】
次に、本実施形態としての情報提供システムの動作について、図９のフローチャートを参照して詳細に説明する。
Ｗｅｂサーバ１の制御部１３は、上述した第１の実施形態と同様に、通信部１１を介してＰＣ２からＷｅｂコンテンツのダウンロード要求を受けると（ステップＳ２０１）、当該ＰＣ２からのアクセスデータにおけるＨＴＴＰヘッダ内のＨＴＴＰ＿ＲＥＦＥＲＥＲ情報を解析部１２により参照する（ステップＳ２０２）。【０１０９】
ここで解析部１２により、解析できるリンク元ＵＲＬ情報が存在すると判定された場合（ステップＳ２０３；Ｙｅｓ）、制御部１３は通信部１１を介してリンク元ＵＲＬにアクセスし、リンク元のＷｅｂページデータ（ＨＴＭＬのテキストデータなど）を取得する（ステップＳ２０４）。
そして、制御部１３は表示切り替えテーブル１４４を参照し、取得したリンク元Ｗｅｂページデータに、表示切り替えテーブル１４４に格納されているキーワードが含まれているかどうかの検索を行う（ステップＳ２０５、Ｓ２０６）。【０１１０】
検索の結果、表示切り替えテーブル１４４により分類可能なキーワードがリンク元Ｗｅｂページに含まれている場合（ステップＳ２０６；Ｙｅｓ）、制御部１３は、リンク元Ｗｅｂページをカテゴリに分類する。
表示切り替えテーブル１４４のキーワードは、リンク元Ｗｅｂページにおけるテキスト情報を検索する際に検索対象とするものであり、ステップＳ２０６の検索の結果、各カテゴリ分類に関連付けられているキーワードへのヒット数の総数が最も多いカテゴリに、リンク元Ｗｅｂページを分類する。【０１１１】
こうしてリンク元Ｗｅｂページがカテゴリに分類されると、制御部１３は、例えば上述した図６に示すように、そのカテゴリ分類に関連付けられた表示切り替え方法に基づいてＷｅｂページデータ１４１におけるテンプレート内部に情報ブロックを配置してＷｅｂページの再構成を行い（ステップＳ２０７）、ＰＣ２に送信して表示画面に表示させる（ステップＳ２０９）。
ステップＳ２０７におけるテンプレート内部への情報ブロックの配置（Ｗｅｂページの再構成）は、例えば第１の実施形態におけるステップＳ１０６で上述したようにしてよい。【０１１２】
上述したステップＳ２０３で解析できるリンク元ＵＲＬ情報が存在しない場合、或いはステップＳ２０６で表示切り替えテーブル１４４のキーワードが含まれていない場合、制御部１３は予め定められた標準のＷｅｂページデータを抽出し（ステップＳ２０８）、ＰＣ２に送信する（ステップＳ２０９）。
この標準のＷｅｂページデータは、１つのＷｅｂページデータとして予め用意されたものであってもよく、テンプレートに対する各情報ブロックの配置が予め定められたものであり、その配置に従って制御部１３が生成したものであってもよい。【０１１３】
なお、上述した実施形態では、リンク元Ｗｅｂページデータへの検索の結果、各カテゴリ分類に関連付けられているキーワードへの検索ヒット数の総数が最も多いカテゴリにリンク元Ｗｅｂページを分類することとして説明したが、キーワード検索により分類することができればリンク元Ｗｅｂページの分類方法は任意の方法であってよく、例えば表示切り替えテーブル１４４のキーワードをＡＮＤ、ＯＲなどの組み合わせにより定義しておき、その定義づけに基づいて最も適切と判定されたカテゴリに分類するなどの方法であってもよい。【０１１４】
また、リンク元Ｗｅｂページ全体からキーワードを検索することとして説明したが、リンク元Ｗｅｂページにおける本Ｗｅｂサーバ１へのハイパーリンクが配設されたテキスト部分のみをキーワードの検索対象としてもよい。このことによれば、ユーザがハイパーリンクにより本Ｗｅｂサーバ１にアクセスしてきたクリック部分のテキスト情報のみを検索対象とすることができる。【０１１５】
また、この第３の実施形態によるリンク元Ｗｅｂページの分類方法は、上述した第１、第２の実施形態でのリンク元ＵＲＬからのリンク元Ｗｅｂページの分類方法も併せて用いて解析を行うこととしてもよい。【０１１６】
以上のように、本発明の第３の実施形態によれば、上述した第１、第２の実施形態による効果が得られると共に、リンク元ＵＲＬにアクセスし、リンク元Ｗｅｂページデータに対してキーワードの検索を行うことにより、Ｗｅｂサーバ１の管理者などが全く想定していないリンク元Ｗｅｂページからのリンクによりアクセスがあった場合であっても表示切り替えテーブルに基づいた分類を行うことができ、本発明による表示切り替えの適用対象をより広くすることができる。
【実施例４】
【０１１７】
次に、本発明の第４の実施形態としての情報提供システムについて説明する。この第４の実施形態は、上述した第１、第２の実施形態でアクセスのリンク元を解析した後、そのリンク元情報が表示切り替えテーブルのカテゴリに分類されるかを判別してＷｅｂページの再構成を行っているのに対して、検索サイト（検索機能を有するサイト）でのキーワード検索結果によりアクセスしてきた場合に、検索に用いられたキーワードに基づいてＷｅｂページの再構成を行うようにしたものである。【０１１８】
この第４の実施形態における情報提供システムでは、上述した第１の実施形態のＷｅｂサーバ１における表示切り替えテーブル１４２に替えて表示切り替えテーブル１４５を備えている。
本実施形態における表示切り替えテーブル１４５は、図１０に示すように、リンク元の各カテゴリ分類に、そのカテゴリとして分類される検索キーワードと、そのカテゴリ分類に含まれるリンク元からのリンクによりＷｅｂページのダウンロード要求を受けた場合の表示切り替え方法とが関連付けられて構成される。【０１１９】
次に、本実施形態としての情報提供システムの動作について、検索サイトでのキーワード検索結果によりＰＣ２が本Ｗｅｂサーバ１にアクセスしてきている場合を例として、図１１のフローチャートを参照して詳細に説明する。
Ｗｅｂサーバ１の制御部１３は、通信部１１を介してＰＣ２からＷｅｂコンテンツのダウンロード要求を受けると（ステップＳ３０１）、当該ＰＣ２からのアクセスデータにおけるＨＴＴＰヘッダ内のＨＴＴＰ＿ＲＥＦＥＲＥＲ情報を解析部１２により参照する（ステップＳ３０２）。【０１２０】
ここで解析部１２は、解析できるリンク元ＵＲＬ情報が存在すると判定した場合（ステップＳ３０３；Ｙｅｓ）、ＨＴＴＰ＿ＲＥＦＥＲＥＲ情報からキーワードを示す部分を抜き出し、解析して検索キーワードを抽出する（ステップＳ３０４）。
図１２に、ＨＴＴＰ＿ＲＥＦＥＲＥＲ情報における"？"以降にパラメータが設けられ、そのパラメータ部内にキーワードを示す部分が設けられた一例を示す。
上記の検索キーワードの抽出は、この図１２に例示するようなキーワードを示す部分をバイナリ変換してＳｈｉｆｔ  ＪＩＳに変換する方法など、各検索サイトに応じた公知の解析方法により実現することとしてよい。【０１２１】
検索キーワードが抽出されると、制御部１３は表示切り替えテーブル１４５を参照し、抽出された検索キーワードが、表示切り替えテーブル１４５に含まれているかどうかの検索を行う（ステップＳ３０５、Ｓ３０６）。
なお、複数の検索キーワードが表示切り替えテーブル１４５に含まれるものと一致する場合には、例えばカテゴリ分類別の一致する検索キーワードの数が最も多いカテゴリに分類するなど、予め定められた分類方法により何れかのカテゴリに分類することとしてよい。【０１２２】
こうして検索キーワードが表示切り替えテーブル１４５のカテゴリに分類されると（ステップＳ３０６；Ｙｅｓ）、制御部１３は、例えば上述した図６に示すように、そのカテゴリ分類に関連付けられた表示切り替え方法に基づいてＷｅｂページデータ１４１におけるテンプレート内部に情報ブロックを配置してＷｅｂページの再構成を行い（ステップＳ３０７）、ＰＣ２に送信して表示画面に表示させる（ステップＳ３０９）。
ステップＳ３０７におけるテンプレート内部への情報ブロックの配置（Ｗｅｂページの再構成）は、例えば第１の実施形態におけるステップＳ１０６で上述したようにしてよい。【０１２３】
上述したステップＳ３０３で解析できるリンク元ＵＲＬ情報が存在しない場合、或いはステップＳ３０４で検索キーワードが抽出できない場合やステップＳ３０６で抽出された検索キーワードが表示切り替えテーブル１４５のカテゴリに分類できない場合、制御部１３は予め定められた標準のＷｅｂページデータを抽出し（ステップＳ３０８）、ＰＣ２に送信する（ステップＳ３０９）。
この標準のＷｅｂページデータは、１つのＷｅｂページデータとして予め用意されたものであってもよく、テンプレートに対する各情報ブロックの配置が予め定められたものであり、その配置に従って制御部１３が生成したものであってもよい。【０１２４】
以上のように、本発明の第４の実施形態によれば、検索サイトでのキーワード検索結果によりアクセスしてきた場合であっても、検索キーワードに基づいてＷｅｂページの再構成を行うことにより、アクセスしてきたユーザの希望により近い情報をＷｅｂページの上部（見やすい位置）に配置させることができ、利便性を大きく向上させることができる。
すなわち、アクセスしてきたユーザの希望により近い情報をＰＣ２の表示画面にすぐに表示されるようにＷｅｂページデータを送出することができるため、ユーザが見たい情報を見るために画面のスクロールを行って所望の情報を探す手間を最小限にすることができる。【０１２５】
また、検索サイト以外のＷｅｂページからのリンクによりアクセスを受けた場合には、上述した第１から第３の実施形態における何れかの方法またはそれらの組み合わせによる方法も併せて用いて表示切り替えテーブルのカテゴリへの分類を行い、Ｗｅｂページの再構成を行うこととしてもよい。
このことによれば、検索サイトでのキーワード検索結果によりアクセスしてきた場合に上述した第４の実施形態としての効果が得られると共に、他のＷｅｂページからのリンクによりアクセスを受けた場合にも上述した第１から第３の実施形態における効果を得ることができる。
【実施例５】
【０１２６】
次に、本発明の第５の実施形態としての情報提供システムについて説明する。この第５の実施形態は、上述した第１から第４の実施形態で、Ｗｅｂページデータをテンプレートおよび各情報ブロックのコンテンツとして格納し、分類されたカテゴリに応じてテンプレート内に情報ブロックを配置することでＷｅｂページの再構成を行っているのに替えて、リンク元情報に応じて関連付けられた情報を追加したＷｅｂページとすることで再構成を行うようにしたものである。【０１２７】
この第５の実施形態における情報提供システムでは、上述した第１の実施形態のＷｅｂサーバ１における表示切り替えテーブル１４２に替えて表示切り替えテーブル１４６を備えている。
本実施形態における表示切り替えテーブル１４６は、図１３に示すように、リンク元の各カテゴリ分類に、そのカテゴリとして分類されるリンク元ＵＲＬおよびリンク元ＵＲＬの一部と、そのカテゴリ分類に含まれるリンク元からのリンクによりＷｅｂページのダウンロード要求を受けた場合に当該Ｗｅｂページデータに追加する追加情報とが関連付けられて構成される。【０１２８】
次に、本実施形態としての情報提供システムの動作について、図１４のフローチャートを参照して詳細に説明する。
Ｗｅｂサーバ１の制御部１３は、上述した第１の実施形態と同様に、通信部１１を介してＰＣ２からＷｅｂコンテンツのダウンロード要求を受けると（ステップＳ４０１）、当該ＰＣ２からのアクセスデータにおけるＨＴＴＰヘッダ内のＨＴＴＰ＿ＲＥＦＥＲＥＲ情報を解析部１２により参照する（ステップＳ４０２）。【０１２９】
ここで解析部１２により、解析できるリンク元ＵＲＬ情報が存在すると判定された場合（ステップＳ４０３；Ｙｅｓ）、制御部１３は表示切り替えテーブル１４４を参照し、解析されたリンク元ＵＲＬがカテゴリに分類可能なものかの判定を行う（ステップＳ４０４、Ｓ４０５）。
表示切り替えテーブル１４２のカテゴリに分類可能であれば（ステップＳ４０５；Ｙｅｓ）、制御部１３は、例えば図１５に示すように、そのカテゴリ分類に関連付けられた追加情報を標準Ｗｅｂページの上部に追加するようＨＴＭＬなどによるＷｅｂページデータを書き替え（ステップＳ４０６）、ＰＣ２に送信して表示画面に表示させる（ステップＳ４０８）。【０１３０】
上述したステップＳ４０３で解析できるリンク元ＵＲＬ情報が存在しない場合、或いはステップＳ４０５で表示切り替えテーブル１４６のカテゴリに分類できない場合、制御部１３は予め定められた標準のＷｅｂページデータを抽出し（ステップＳ４０７）、ＰＣ２に送信する（ステップＳ４０８）。
この標準のＷｅｂページデータは、１つのＷｅｂページデータとして予め用意されたものであってもよく、テンプレートに対する各情報ブロックの配置が予め定められたものであり、その配置に従って制御部１３が生成したものであってもよい。【０１３１】
以上のように、本発明の第５の実施形態としての情報提供システムによれば、Ｗｅｂサーバ１にアクセスしてくるユーザが見たい情報をＷｅｂページの上部（見やすい位置）に配置させることができ、利便性を大きく向上させることができる。すなわち、ＰＣ２の表示画面にすぐに表示されるようにＷｅｂページデータを送出することができるため、ユーザが見たい情報を見るために画面のスクロールを行って所望の情報を探す手間を最小限にすることができる。【０１３２】
また、標準のＷｅｂページを表示させつつ、Ａ社の社員専用ＨＰのハイパーリンクからアクセスしてきたのであればＡ社の社員向けに特化した情報を追加するなど、対象を限定した情報をＷｅｂページに付加することができる。
この対象を限定した情報として、上記したＡ社の例では、Ａ社の社員宛メッセージやＡ社の休日に合わせたイベント情報などを表示させることもできる。このように、アクセスするＰＣ２側のユーザにとっては、対象を限定した上での有益な情報を受け取ることができるというメリットがある。
また、Ｗｅｂサイトを提供するＷｅｂサーバ１側の管理者にとっては、対象を限定した上でその対象に向けた情報をＷｅｂページに付加して伝えることができる。【０１３３】
なお、上述した第５の実施形態では、表示切り替えテーブルのカテゴリ分類への分類方法として、リンク元ＵＲＬにより分類することとして説明したが、分類した上で本実施形態としての追加情報を付加することができれば分類方法は限定されず、上述した第１から第４の実施形態における解析、分類方法の何れかまたはそれらの組み合わせにより行うこととしてよい。【０１３４】
また、分類した上での表示切り替え方法についても、上述した第１から第４の実施形態における表示切り替え方法と組み合わせることとしてもよい。
この組み合わせた場合の動作として、例えば図１６に示すように、リンク元ＵＲＬがＡ社の社員専用ＨＰでありかつ、本Ｗｅｂサーバ１へのハイパーリンクが配設されたテキスト部分や検索キーワードなどのキーワードが解析できる場合、Ａ社の社員用の情報を追加情報として付加すると共に、標準Ｗｅｂページについても解析されたキーワードに基づいた表示切り替えを行うことができる。
また、これらのカテゴリへの分類方法や表示切り替え方法は、切り替え設定が予め行われることにより適用されることとしてもよい。
【実施例６】
【０１３５】
次に、本発明の第６の実施形態としての情報提供システムについて説明する。この第６の実施形態は、上述した第１から第４の実施形態で、Ｗｅｂページデータをテンプレートおよび各情報ブロックのコンテンツとして格納し、分類されたカテゴリに応じてテンプレート内に情報ブロックを配置することでＷｅｂページの再構成を行っているのに替えて、検索サイトからキーワード検索結果によりアクセスしてきた場合にその検索に用いられたキーワードを見やすい位置としたり、ハイパーリンクによりアクセスしてきた場合にリンク元のハイパーリンクが配設された部分の用語を見やすい位置とするなど、リンク元に基づく特定のキーワードを見やすくするようにＷｅｂページを再構成するものである。【０１３６】
この第６の実施形態における情報提供システムでは、表示切り替えテーブルは上述した第３または第４の実施形態と同様のものであってよい。また、キーワードの抽出についても、上述した第３または第４の実施形態と同様のものであってよい。
本実施形態では、こうして抽出されたキーワード近辺における予め定められた範囲をＷｅｂページの上部に表示させるよう、アクセス元に送出するＷｅｂページデータを制御部１３が書き替えることで、特定のキーワードを見やすくしている。【０１３７】
次に、本実施形態としての情報提供システムの動作について、図１７のフローチャートを参照して詳細に説明する。
Ｗｅｂサーバ１の制御部１３は、上述した第３または第４の実施形態と同様に、通信部１１を介してＰＣ２からＷｅｂコンテンツのダウンロード要求を受けると（ステップＳ５０１）、当該ＰＣ２からのアクセスデータにおけるＨＴＴＰヘッダ内のＨＴＴＰ＿ＲＥＦＥＲＥＲ情報を解析部１２により参照する（ステップＳ５０２）。【０１３８】
ここで解析部１２により、解析できるリンク元ＵＲＬ情報が存在すると判定された場合（ステップＳ５０３；Ｙｅｓ）、制御部１３は上述した第３または第４の実施形態と同様の動作により、リンク元Ｗｅｂページデータに含まれるキーワードまたは検索キーワードを抽出する（ステップＳ５０４）。【０１３９】
こうしてリンク元におけるキーワードが抽出されると（ステップＳ５０４；Ｙｅｓ）、制御部１３は、例えば図１８に示すように、Ｗｅｂページにおけるキーワード近辺のみをコピーして当該Ｗｅｂページ上部に追加する（ステップＳ５０５）。
このコピーするキーワード近辺の切り取り方、すなわちキーワード近辺とする範囲の定め方としては、キーワードの存在をユーザに認知させることができれば各種の定め方であってよく、例えばキーワードの前後３行、キーワードを含む改行までの１段落、キーワードを含む次の空白行までの１ブロック、などであってよい。
こうして制御部１３はＷｅｂページデータを書き替えると、データをＰＣ２に送信して表示画面に表示させる（ステップＳ５０７）。【０１４０】
上述したステップＳ５０３で解析できるリンク元ＵＲＬ情報が存在しない場合、或いはステップＳ５０４でキーワードを抽出できない場合、制御部１３は予め定められた標準のＷｅｂページデータを抽出し（ステップＳ５０６）、ＰＣ２に送信する（ステップＳ５０７）。
この標準のＷｅｂページデータは、１つのＷｅｂページデータとして予め用意されたものであってもよく、テンプレートに対する各情報ブロックの配置が予め定められたものであり、その配置に従って制御部１３が生成したものであってもよい。【０１４１】
以上のように、本発明の第６の実施形態としての情報提供システムによれば、Ｗｅｂサーバ１にアクセスしてくるユーザが目的としているキーワードの近辺をＷｅｂページの上部（見やすい位置）にコピーして配置させることができ、利便性を大きく向上させることができる。すなわち、ユーザが目的としているキーワードの近辺のみがＰＣ２の表示画面にすぐに表示されるようにＷｅｂページデータを送出することができるため、ユーザは目的とするキーワードの近辺を画面のスクロールを行うことなく見ることができ、手間を最小限にすることができる。【０１４２】
なお、上述した本実施形態としての表示切り替え方法は、切り替え設定が予め行われることにより、上述した第１から第５の実施形態における表示切り替え方法と切り替えて適用されることとしてもよい。
【実施例７】
【０１４３】
次に、本発明の第７の実施形態としての情報提供システムについて説明する。この第７の実施形態は、上述した第１から第４の実施形態で、Ｗｅｂページデータをテンプレートおよび各情報ブロックのコンテンツとして格納し、分類されたカテゴリに応じてテンプレート内に情報ブロックを配置することでＷｅｂページの再構成を行っているのに替えて、検索サイトからキーワード検索結果によりアクセスしてきた場合にその検索に用いられたキーワードが目立つようにしたり、ハイパーリンクによりアクセスしてきた場合にリンク元のハイパーリンクが配設された部分の用語を目立つようにするなど、リンク元に基づく特定のキーワードを目立たせるようにＷｅｂページデータを書き替えるものである。【０１４４】
この第７の実施形態における情報提供システムでは、上述した第６の実施形態同様に、表示切り替えテーブルは上述した第３または第４の実施形態と同様のものであってよい。また、キーワードの抽出についても、上述した第３または第４の実施形態と同様のものであってよい。
本実施形態では、こうして抽出されたキーワード部分のフォントをＷｅｂページにおける他の部分と異なるものにするよう、アクセス元に送出するＷｅｂページデータを制御部１３が切り替えることで、特定のキーワードを目立たせるようにしている。【０１４５】
次に、本実施形態としての情報提供システムの動作について、図１９のフローチャートを参照して詳細に説明する。
ステップＳ６０１からＳ６０４の動作は、上述した第６の実施形態におけるステップＳ５０１からＳ５０４の動作と同様である。すなわち、ＰＣ２からＷｅｂコンテンツのダウンロード要求を受け（ステップＳ６０１）、アクセスのリンク元におけるキーワードを抽出する（ステップＳ６０４）までの動作は上述した第６の実施形態と同様である。【０１４６】
こうしてリンク元におけるキーワードが抽出されると（ステップＳ６０４；Ｙｅｓ）、制御部１３は、例えば図２０に示すように、Ｗｅｂページにおけるキーワード部分のみのフォントを、他の部分のフォントよりも明らかに目立つものにするよう、Ｗｅｂページデータを書き替える（ステップＳ６０５）。【０１４７】
ステップＳ６０５における目立つフォントへの書き替えは、他の部分と容易に区別することができれば各種のものであってよく、例えばフォントの大きさを大きくする、太字にする、字体を斜体など異なるものにする、色を変更する、といった方法またはそれらの組み合わせなどであってよい。
すなわち、ＨＴＭＬソースコードにおけるキーワード部分の前に<FONT SIZE=*>、後ろに</FONT>を追加したり、前に<B>、後ろに</B>を追加するなど、他の部分と容易に区別できるフォントとして表示されるように制御部１３が書き替えることとしてよい。
こうして制御部１３はＷｅｂページデータを書き替えると、データをＰＣ２に送信して表示画面に表示させる（ステップＳ６０７）。【０１４８】
上述したステップＳ６０３で解析できるリンク元ＵＲＬ情報が存在しない場合、或いはステップＳ６０４でキーワードを抽出できない場合、上述した第６の実施形態同様、制御部１３は予め定められた標準のＷｅｂページデータを抽出し（ステップＳ６０６）、ＰＣ２に送信する（ステップＳ６０７）。【０１４９】
以上のように、本発明の第７の実施形態としての情報提供システムによれば、Ｗｅｂサーバ１にアクセスしてくるユーザが目的としているキーワードのみのフォントを目立たせることができ、利便性を大きく向上させることができる。
すなわち、検索キーワードやハイパーリンク部分のキーワードなど、ユーザが目的としているキーワードのフォントのみをＰＣ２の表示画面におけるＷｅｂページ内で目立つものとすることができるため、ユーザは目的とするキーワードをＷｅｂページ内ですぐに見つけることができ、手間を最小限にすることができる。【０１５０】
なお、上述した本実施形態としての表示切り替え方法は、切り替え設定が予め行われることにより、上述した第１から第６の実施形態における表示切り替え方法と切り替えて適用されることとしてもよい。
【実施例８】
【０１５１】
次に、本発明の第８の実施形態としての情報提供システムについて説明する。この第８の実施形態は、上述した第１から第６の実施形態で、カテゴリに分類したりキーワードを抽出したりすることでユーザが見たい情報を識別し、そのユーザが見たい情報をＷｅｂページにおける見やすい位置に配置するよう、Ｗｅｂページを再構成しているのに替えて、ユーザが見たい情報を専用のウインドウにより表示するようにするものである。【０１５２】
この第８の実施形態における情報提供システムでは、表示切り替えテーブルは上述した第３から第６の実施形態と同様のものであってよい。すなわち、キーワード抽出を行う場合は上述した第３、第４、第６の実施形態と同様のものであってよく、リンク元情報に応じて関連付けられた情報を表示する場合には、上述した第５の実施形態と同様のものであってよい。【０１５３】
次に、本実施形態としての情報提供システムの動作について、図２１のフローチャートを参照して詳細に説明する。
Ｗｅｂサーバ１の制御部１３は、通信部１１を介してＰＣ２からＷｅｂコンテンツのダウンロード要求を受けると（ステップＳ７０１）、当該ＰＣ２からのアクセスデータにおけるＨＴＴＰヘッダ内のＨＴＴＰ＿ＲＥＦＥＲＥＲ情報を解析部１２により参照する（ステップＳ７０２）。【０１５４】
ここで解析部１２により、解析できるリンク元ＵＲＬ情報が存在すると判定された場合（ステップＳ７０３；Ｙｅｓ）、制御部１３は上述した第３から第６の実施形態の何れかと同様の動作により、カテゴリに分類したりキーワードを抽出したりすることでユーザが見たい情報（目立たせる部分）を識別する（ステップＳ７０４）。【０１５５】
こうしてユーザが見たい情報（目立たせる部分）が識別されると（ステップＳ７０４；Ｙｅｓ）、制御部１３は、その目立たせる部分のみを表示内容とする専用ウインドウを標準Ｗｅｂページウインドウの手前上部に追加するよう、Ｗｅｂページデータを書き替える（ステップＳ７０５）。
この専用ウインドウの追加は、例えばJava（登録商標）Scriptにおけるwindow.open()を用いたスクリプトをＷｅｂページデータに追加するなど、各種の方法であってよい。【０１５６】
図２２に、リンク元情報に応じて関連付けられた追加情報が目立たせる部分として識別され、その追加情報のために専用ウインドウを追加する場合の表示例を示す。
この図２２に示すように、リンク元情報に応じて関連付けられた情報をユーザが見たい情報（目立たせる部分）として識別する場合、上述した第５の実施形態と同様の動作によりリンク元情報に応じて関連付けられた追加情報を抽出し、その追加情報を専用ウインドウにより標準Ｗｅｂページウインドウの手前上部に追加する。【０１５７】
図２３に、Ｗｅｂページにおけるキーワード近辺が目立たせる部分として識別され、そのキーワード近辺のみをコピーして専用ウインドウを追加する場合の表示例を示す。
この図２３に示すように、キーワードを抽出することでユーザが見たい情報（目立たせる部分）を識別する場合、上述した第６の実施形態と同様の動作により、キーワードを抽出してキーワード近辺のデータをコピーし、そのキーワード近辺のみの部分を専用ウインドウにより標準Ｗｅｂページウインドウの手前上部に追加する。【０１５８】
また、上述した表示例に限定されず、キーワード近辺のみを拡大して専用ウインドウにより表示するなど、目立たせる部分の表示は各種の方法を用いてよい。この拡大して専用ウインドウで表示する場合には、例えば表示画面をビットマップデータとして拡大してもよく、フォントを大きく変更してもよい。
こうして制御部１３はＷｅｂページデータを書き替えると、データをＰＣ２に送信して表示画面に表示させる（ステップＳ７０７）。【０１５９】
上述したステップＳ７０３で解析できるリンク元ＵＲＬ情報が存在しない場合、或いはステップＳ７０４で目立たせる部分を識別できない場合、上述した第３から第６の実施形態同様、制御部１３は予め定められた標準のＷｅｂページデータを抽出し（ステップＳ７０６）、ＰＣ２に送信する（ステップＳ７０７）。【０１６０】
以上のように、本発明の第８の実施形態としての情報提供システムによれば、Ｗｅｂサーバ１にアクセスしてくるユーザが見たい情報を識別して標準Ｗｅｂページの手前上部（見やすい位置）の専用ウインドウにより表示させることができ、利便性を大きく向上させることができる。
すなわち、ユーザが見たい情報を識別し、専用ウインドウによりＰＣ２の表示画面にすぐに表示されるようにＷｅｂページデータを送出することができるため、ユーザは見たい情報を画面のスクロールを行うことなく標準Ｗｅｂページとは別ウインドウで見ることができ、手間を最小限にすることができる。【０１６１】
なお、上述した本実施形態としての表示切り替え方法は、切り替え設定が予め行われることにより、上述した第１から第７の実施形態における表示切り替え方法と切り替えて適用されることとしてもよい。
【実施例９】
【０１６２】
次に、本発明の第９の実施形態としての情報提供システムについて説明する。この第９の実施形態は、上述した第８の実施形態でユーザが見たい情報（目立たせる部分）を識別して専用ウインドウにより標準Ｗｅｂページとは別に表示させているのに替えて、識別した目立たせる部分のみをＷｅｂページデータとするものである。【０１６３】
この第９の実施形態における情報提供システムでは、表示切り替えテーブルは上述した第８の実施形態と同様のものであってよい。
また、図２４のフローチャートに示す本実施形態としての動作は、ステップＳ８０１からＳ８０４まで、上述した第８の実施形態におけるステップＳ７０１からＳ７０４の動作と同様である。すなわち、ＰＣ２からＷｅｂコンテンツのダウンロード要求を受け（ステップＳ８０１）、目立たせる部分を識別する（ステップＳ８０４）までの動作は上述した第８の実施形態と同様である。【０１６４】
こうしてユーザが見たい情報（目立たせる部分）が識別されると（ステップＳ８０４；Ｙｅｓ）、制御部１３は、Ｗｅｂページデータを、識別された目立たせる対象部分のみとするように書き替える（ステップＳ８０５）。
この目立たせる対象部分のみへの書き換えは、上述した第８の実施形態における専用ウインドウのみとする書き換えであってもよい。また、上述した第８の実施形態における専用ウインドウに表示させた内容に対して、画像データが含まれる場合には削除してテキストのみにすることでデータ量を減らすなど、事前に他の設定がなされていてもよい。【０１６５】
また、上述した第８の実施形態における専用ウインドウに表示させた内容に対して、例えば図２５に示すように、標準Ｗｅｂページ全体を表示するためのハイパーリンクを付加してもよい。
こうして制御部１３はＷｅｂページデータを書き替えると、データをＰＣ２に送信して表示画面に表示させる（ステップＳ８０７）。【０１６６】
上述したステップＳ８０３で解析できるリンク元ＵＲＬ情報が存在しない場合、或いはステップＳ８０４で目立たせる部分を識別できない場合、上述した第８の実施形態同様、制御部１３は予め定められた標準のＷｅｂページデータを抽出し（ステップＳ８０６）、ＰＣ２に送信する（ステップＳ８０７）。【０１６７】
以上のように、本発明の第９の実施形態としての情報提供システムによれば、Ｗｅｂサーバ１にアクセスしてくるユーザが見たい情報を識別してＷｅｂページデータをその情報のみとすることにより、Ｗｅｂページを表示するための通信データ量を小さく抑えることができる。
このため、アクセスするユーザにとっては、情報通信端末による通信が例えば携帯電話によるパケット通信など通信データ量（パケット量）により課金される場合に、リンク元情報に基づいた必要な部分のみをダウンロードすることで通信データ量を減らすことができ、通信コストを低く抑えることができる。
また、ネットワークの管理者にとっては不要なトラフィックを抑えることができる。【０１６８】
なお、上述した本実施形態としての表示切り替え方法は、切り替え設定が予め行われることにより、上述した第１から第８の実施形態における表示切り替え方法と切り替えて適用されることとしてもよい。
【実施例１０】
【０１６９】
次に、本発明の第１０の実施形態としての情報提供システムについて説明する。この第１０の実施形態は、上述した第１から第９の実施形態でリンク元情報などに基づいた表示切り替えをＷｅｂサーバ１が行っているのに替えて、アクセスするユーザの用いる情報通信端末が行うようにしたものである。
上述した第１から第９の実施形態では、アクセスするユーザが用いる情報通信端末はＰＣ２であることとして説明したが、この第１０の実施形態では、情報通信端末４として説明する。【０１７０】
本発明の第１０の実施形態としての情報提供システムは、図２６に示すように、Ｗｅｂサーバ１と、ブラウザが実装されてＷｅｂページ閲覧などに使用される情報通信端末４と、を備え、インターネットなどのネットワーク３を介してＷｅｂサーバ１と情報通信端末４とが接続されて構成される。【０１７１】
情報通信端末４は、図２６に示すように、ネットワーク３を介してＷｅｂサーバ１との間で送受信を行うインターフェース機能を有する通信部４１と、アクセス履歴の管理や表示切り替えなど装置全体の制御を行う制御部４２と、記憶部４３と、表示部４４とを備える。【０１７２】
情報通信端末４がネットワーク３を介してＷｅｂサーバ１にアクセスすると、制御部４２はアクセスしたアクセス先ＵＲＬ情報を記憶部４３のアクセス履歴４３１に格納する。
Ｗｅｂサーバ１からＷｅｂページデータを取得すると、制御部４２は記憶部４３の表示切り替えテーブル４３２やキーワードに基づいて取得したＷｅｂページデータを書き替え、表示部４４により表示する。【０１７３】
取得したＷｅｂページデータの本実施形態における書き替え方法は、上述した第５から第９の実施形態における何れかまたはそれらの組み合わせであってよい。
すなわち、１つ前のアクセス先情報がアクセス履歴４３１として格納されているため、制御部４２はそのアクセス履歴４３１を参照することでリンク元ＵＲＬや検索キーワードを取得することができ、そのリンク元情報に基づいて表示切り替えテーブル４３２やキーワードを参照し、上述した第５から第９の実施形態の何れかまたはそれらの組み合わせによる表示切り替えを行う。【０１７４】
このように、本実施形態における表示切り替えテーブル４３２は、例えば第５、第６、第８、第９の実施形態で上述したような表示切り替え方法を実現させるためのものであり、例えば第５の実施形態における表示切り替え方法を行う場合、図２７に例示するように、カテゴリ分類に対して、１つ前のアクセス先と、そのカテゴリ分類に対する表示切り替え方法とを関連付けたものであってよい。【０１７５】
次に、本実施形態としての情報提供システムで、例えば上述した第５、第６、第８、第９の実施形態でＷｅｂサーバ１が行う表示切り替えのように、アクセス履歴４３１と表示切り替えテーブル４３２とに基づいて携帯情報端末４が表示切り替えを行う場合の動作について、図２８のフローチャートを参照して説明する。【０１７６】
まず、ユーザの操作入力に基づいて、情報通信端末４はＷｅｂサーバ１にアクセスしてＷｅｂページデータをダウンロードする（ステップＳ９０１）。
このダウンロードの際、制御部４２は、アクセス履歴４３１を参照して１つ前のアクセス先を確認し、その１つ前のアクセス先が表示切り替えテーブル４３２によりカテゴリ分類可能であるかどうかを判定する（ステップＳ９０２，Ｓ９０３）。【０１７７】
ここで１つ前のアクセス先が分類可能である場合（ステップＳ９０３；Ｙｅｓ）、制御部４２は、表示切り替えテーブル４３２のカテゴリ分類に関連付けられた表示切り替え方法により、Ｗｅｂサーバ１からダウンロードしたＷｅｂページデータを書き替え（ステップＳ９０４）、表示部４４により表示させる（ステップＳ９０５）。
上記ステップＳ９０４のＷｅｂページデータの書き替えは、例えば表示切り替えテーブル４３２が図２７に示すものである場合、カテゴリ分類に関連付けられた追加情報をＷｅｂページ上部に追加するように書き替えることとなる。【０１７８】
上述したステップＳ９０３で１つ前のアクセス先が分類不能である場合（ステップＳ９０３；Ｎｏ）、制御部４２は、ダウンロードしたＷｅｂページデータをそのまま表示部４４により表示させる（ステップＳ９０５）。【０１７９】
次に、本実施形態としての情報提供システムで、例えば上述した第６から第９の実施形態でＷｅｂサーバ１が行う表示切り替えのように、検索キーワードやハイパーリンク部分の文言などのキーワードに基づいて携帯情報端末４が表示切り替えを行う場合の動作について、図２９のフローチャートを参照して説明する。【０１８０】
まず、ユーザの操作入力に基づいて、情報通信端末４はＷｅｂサーバ１にアクセスしてＷｅｂページデータをダウンロードする（ステップＳ１００１）。
このダウンロードの際、制御部４２は、アクセス履歴４３１を参照して１つ前のアクセス先を確認し、図１２を用いて上述したようにして検索キーワードを解析する（ステップＳ１００２）。
なお、この検索キーワードの解析は、検索サイトにおける入力文字をアクセス履歴４３１に格納するようにして、その入力文字から解析することとしてもよい。【０１８１】
こうして検索キーワードが解析されると（ステップＳ１００３；Ｙｅｓ）、制御部４２はキーワードまたはキーワード近辺を目立たせるよう、ダウンロードしたＷｅｂページデータを書き替え（ステップＳ１００４）、表示部４４により表示させる（ステップＳ１００５）。
上記ステップＳ１００４でのＷｅｂページデータの書き替えは、上述した第６から第９の実施形態でＷｅｂサーバ１が行う表示切り替えの何れかまたはそれらの組み合わせであってよい。【０１８２】
上述したステップＳ１００３で、検索キーワードやハイパーリンク部分の文言などのキーワードが解析不能である場合（ステップＳ１００３；Ｎｏ）、制御部４２は、ダウンロードしたＷｅｂページデータをそのまま表示部４４により表示させる（ステップＳ１００５）。【０１８３】
次に、本実施形態としての情報提供システムで、予め切り替え条件を設定することでその条件に応じた表示切り替えを行う場合について説明する。
この切り替え条件に基づいて表示切り替えを行う場合、情報通信端末４は上述した表示切り替えテーブル４３２に替えて、例えば図３０に示すような表示切り替えテーブル４３３を備える。【０１８４】
表示切り替えテーブル４３３は、図３０に示すように、切り替え条件に、その切り替え条件が設定されている場合の表示切り替え方法を関連付けて構成される。
この切り替え条件は、図３０に例示しているように外したい対象、目立たせたい対象、ユーザの年齢、趣味、など各種のものであってよく、他の例として電話番号をＷｅｂページ上部に、ＵＲＬをＷｅｂページ上部に、メールアドレスをＷｅｂページ上部に、住所をＷｅｂページ上部に、ユーザの性別に応じて切り替え、などの条件であってもよい。
また、各切り替え条件が設定された場合の表示切り替え方法については、図３０に示すように、予め格納されたキーワードによりＷｅｂページ内を検索する方法であってもよく、他の方法であってもよい。【０１８５】
切り替え条件に基づいて表示切り替えを行う場合の動作について、図３１のフローチャートを参照して説明する。
まず、この切り替え条件に基づいて表示切り替えを行う場合、ユーザは事前に切り替え条件を情報通信端末４に設定することとする。【０１８６】
切り替え条件設定がなされた後、ユーザの操作入力に基づいて、情報通信端末４はＷｅｂサーバ１にアクセスしてＷｅｂページデータをダウンロードする（ステップＳ１１０１）。
このダウンロードの際、制御部４２は、表示切り替えテーブル４３３における設定された切り替え条件に関連付けられた表示切り替え方法に基づいて、ダウンロードしたＷｅｂページ内を検索する（ステップＳ１１０２）。【０１８７】
ここで、設定された切り替え条件に関連付けられた表示切り替え方法における移動対象部分がダウンロードしたＷｅｂページ内に存在する場合（ステップＳ１１０３；Ｙｅｓ）、設定された切り替え条件による移動対象部分を表示切り替えテーブル４３３のに基づいて移動させるよう、制御部４２はダウンロードしたＷｅｂページデータを書き替え（ステップＳ１１０４）、表示部４４により表示させる（ステップＳ１１０５）。【０１８８】
上述したステップＳ１１０３で移動対象部分がダウンロードされたＷｅｂページ内に存在しない場合（ステップＳ１１０３；Ｎｏ）、制御部４２は、ダウンロードしたＷｅｂページデータをそのまま表示部４４により表示させる（ステップＳ１１０５）。【０１８９】
なお、切り替え条件に基づいて表示切り替えを行う場合、表示切り替え方法は切り替え条件に関連付けられて表示切り替えテーブル４３３に予め格納されることとして説明したが、このことに限定されず、例えばユーザが設定できる構成であってもよい。【０１９０】
また、上述した本実施形態としての各表示切り替え方法は、組み合わせて行われてもよい。例えば、１つ前のアクセス先と表示切り替えテーブル４３２とに基づいて上述したようにして表示切り替えを行うと同時に、予め設定された切り替え条件に基づいて上述したようにして表示切り替えを行う構成であってもよい。
また、検索キーワードを解析して上述したようにして表示切り替えを行うと同時に、予め設定された切り替え条件に基づいて上述したようにして表示切り替えを行う構成であってもよい。【０１９１】
また、本実施形態としての機能を実現させるためのプログラムは、情報通信端末４が携帯電話機や専用端末などである場合には予めＲＯＭなどの記憶手段に格納される構成であってよい。
また、情報通信端末４がＰＣである場合には、専用アプリケーションをそのＰＣにインストールすることにより実現する構成であってよい。【０１９２】
以上のように、本発明の第１０の実施形態としての情報提供システムによれば、情報通信端末４が表示切り替えを行うことにより、上述した第５から第９の実施形態と同様の効果を任意のＷｅｂサーバからのＷｅｂページに対して得ることができる。さらに、本体内のアクセス履歴４３１に１つ前のアクセス先が格納されているため、１つ前のアクセス先情報をより確実に取得することができ、本発明による表示切り替えをより確実に行うことができる。【０１９３】
また、予め設定した切り替え条件に基づいて表示切り替えを行うこともできるため、よりユーザの好みに合わせた表示切り替えを行うことができ、利便性を大きく向上させることができる。【０１９４】
従来、特に画面の小さい携帯電話機などの携帯通信端末でＷｅｂページにアクセスする場合、一度に表示できる内容が限られてしまうため、見たい内容がＷｅｂページの下の方に配置されていると表示画面に表示させるために大幅にスクロールする必要があり、利便性を欠く虞があった。
上述した本発明の各実施形態としての情報提供システムによれば、特に画面の小さい携帯電話機などの携帯通信端末でＷｅｂページにアクセスする際に、ユーザが見たい情報をすぐに確認できるようにすることができ、Ｗｅｂページの活用における利便性を大きく向上させることができる。【０１９５】
なお、上述した各実施形態は、本発明の好適な実施形態であり、本発明の主旨を逸脱しない範囲内において、種々変形して実施することが可能である。
例えば、上述した各実施形態で示したキーワード、ＵＲＬ、カテゴリ分類、表示切り替え方法は一例であり、各種のものであってよい。【０１９６】
また、ユーザがＷｅｂサーバ１にアクセスするために用いる情報通信端末は、上述した各実施形態について、ネットワークを介してＷｅｂサーバ１と通信可能でブラウザ機能を備え、その実施形態としての機能を実現するためのプログラムが実装されたものであれば任意の装置であってよく、例えばＰＣ、ＰＤＡ、携帯電話機などの携帯通信端末などであってよい。【０１９７】
また、上述した各実施形態では、Ｗｅｂサーバ１がアクセスを受けた際にリンク元情報を解析する場合、ＨＴＴＰヘッダ内のＨＴＴＰ＿ＲＥＦＥＲＥＲ情報を参照して解析する例などを挙げたが、この方法に限定されず、例えばアクセス元のサーバ装置名（ＲＥＭＯＴＥ＿ＨＯＳＴ情報）、アクセス元のＩＰアドレス（ＲＥＭＯＴＥ＿ＡＤＤＲ情報）などの情報を解析することもできる。【０１９８】
また、上述した各実施形態で、情報通信端末がＷｅｂページにアクセスするために経由するネットワークは、コンピュータにより通信可能なネットワークであればインターネットに限定されず、例えばＬＡＮ、ＷＡＮなど、各種のネットワークであってよい。【０１９９】
また、上述した各実施形態としての情報提供システムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
また、上述した第１０の実施形態のように、本発明に係る表示切り替えを情報通信端末が行う場合には、第１０の実施形態による上述した各機能を実現させるプログラムが本体内などの記録媒体から供給されることによって、その情報通信端末のＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。【０２００】
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。【０２０１】
この本発明に係るプログラムによれば、当該プログラムによって制御されるコンピュータシステム、または情報通信端末に、上述した本発明に係る各実施形態としての情報提供システムまたは情報通信端末における各機能を実現させることができる。
【図面の簡単な説明】
【０２０２】
【図１】本発明の第１の実施形態としての情報提供システムの構成の概要を示すブロック図である。
【図２】該システムにおけるＷｅｂサーバ１の構成の概要を示すブロック図である。
【図３】Ｗｅｂページデータ１４１の格納例を示す図である。
【図４】表示切り替えテーブル１４２の構成例を示す図である。
【図５】本発明の第１の実施形態としての動作例を示すフローチャートである。
【図６】本発明の第１の実施形態による表示切り替え例を示す図である。
【図７】表示切り替えテーブル１４３の構成例を示す図である。
【図８】表示切り替えテーブル１４４の構成例を示す図である。
【図９】本発明の第３の実施形態としての動作例を示すフローチャートである。
【図１０】表示切り替えテーブル１４５の構成例を示す図である。
【図１１】本発明の第４の実施形態としての動作例を示すフローチャートである。
【図１２】ＨＴＴＰ＿ＲＥＦＥＲＥＲ情報におけるキーワード部とパラメータ部の例を示す図である。
【図１３】表示切り替えテーブル１４６の構成例を示す図である。
【図１４】本発明の第５の実施形態としての動作例を示すフローチャートである。
【図１５】本発明の第５の実施形態による表示切り替え例を示す図である。
【図１６】本発明の第５の実施形態と第４の実施形態との組み合わせによる表示切り替え例を示す図である。
【図１７】本発明の第６の実施形態としての動作例を示すフローチャートである。
【図１８】本発明の第６の実施形態による表示切り替え例を示す図である。
【図１９】本発明の第７の実施形態としての動作例を示すフローチャートである。
【図２０】本発明の第７の実施形態による表示切り替え例を示す図である。
【図２１】本発明の第８の実施形態としての動作例を示すフローチャートである。
【図２２】本発明の第８の実施形態で追加情報を専用ウインドウにより追加する場合の表示切り替え例を示す図である。
【図２３】本発明の第８の実施形態でキーワード近辺を専用ウインドウにより追加する場合の表示切り替え例を示す図である。
【図２４】本発明の第９の実施形態としての動作例を示すフローチャートである。
【図２５】本発明の第９の実施形態による表示切り替え例を示す図である。
【図２６】本発明の第１０の実施形態としての情報提供システムの構成の概要を示すブロック図である。
【図２７】表示切り替えテーブル４３２の構成例を示す図である。
【図２８】本発明の第１０の実施形態で表示切り替えテーブル４３２に基づいて表示切り替えを行う場合の動作例を示すフローチャートである。
【図２９】本発明の第１０の実施形態でキーワードに基づいて表示切り替えを行う場合の動作例を示すフローチャートである。
【図３０】表示切り替えテーブル４３３の構成例を示す図である。
【図３１】本発明の第１０の実施形態で切り替え条件に基づいて表示切り替えを行う場合の動作例を示すフローチャートである。
【符号の説明】
【０２０３】
１（１ａ，１ｂ，…）    Ｗｅｂサーバ（サーバ装置）
１１    通信部
１２    解析部
１３    制御部（書き替え手段）
１４    記憶部
１４１    Ｗｅｂページデータ
１４２    表示切り替えテーブル
２    ＰＣ（情報通信端末）
３    ネットワーク
４    情報通信端末
４１    通信部
４２    制御部（解析手段かつ書き替え手段）
４３    記憶部
４３１    アクセス履歴
４３２    表示切り替えテーブル
４４    表示部
【図１】
2005121982.tif 000002
【図２】
2005121982.tif 000003
【図３】
2005121982.tif 000004
【図４】
2005121982.tif 000005
【図５】
2005121982.tif 000006
【図６】
2005121982.tif 000007
【図７】
2005121982.tif 000008
【図８】
2005121982.tif 000009
【図９】
2005121982.tif 000010
【図１０】
2005121982.tif 000011
【図１１】
2005121982.tif 000012
【図１２】
2005121982.tif 000013
【図１３】
2005121982.tif 000014
【図１４】
2005121982.tif 000015
【図１５】
2005121982.tif 000016
【図１６】
2005121982.tif 000017
【図１７】
2005121982.tif 000018
【図１８】
2005121982.tif 000019
【図１９】
2005121982.tif 000020
【図２０】
2005121982.tif 000021
【図２１】
2005121982.tif 000022
【図２２】
2005121982.tif 000023
【図２３】
2005121982.tif 000024
【図２４】
2005121982.tif 000025
【図２５】
2005121982.tif 000026
【図２６】
2005121982.tif 000027
【図２７】
2005121982.tif 000028
【図２８】
2005121982.tif 000029
【図２９】
2005121982.tif 000030
【図３０】
2005121982.tif 000031
【図３１】
2005121982.tif 000032
【国際調査報告】
2005121982.tif 000033
2005121982.tif 000034
2005121982.tif 000035
2005121982.tif 000036